(57)【要約】  本発明に係る無線基地局２００は、所定周期内の各タイムフレームのリソース使用量を測定する測定部１１と、移動局１００ｎに対して、上り無線リソース割当開始時点を示す固定的割当信号を送信する上りリンク固定的割当信号送信部１４と、上り無線リソース割当開始時点を起点とした上り無線リソースを用いた上りデータの送信を行う上りリンク通信部１４とを具備し、上りリンク固定的割当信号送信部１４は、各タイムフレームのリソース使用量に基づいて、上り無線リソースを割り当てる。
2009133954.tif 000002
【特許請求の範囲】
【請求項１】
移動局に対して、上り無線リソース割当開始時点を起点として所定周期で固定的に割り当てられている上り無線リソースを用いて、上りデータの受信を行うように構成されている無線基地局であって、
前記所定周期内の各タイムフレームのリソース使用量を測定するように構成されている測定部と、
前記移動局に対して、前記上り無線リソース割当開始時点を示す固定的割当信号を送信するように構成されている上りリンク固定的割当信号送信部と、
前記上り無線リソース割当開始時点を起点とした前記上り無線リソースを用いた前記上りデータの受信を行うように構成されている上りリンク通信部とを具備し、
前記上りリンク固定的割当信号送信部は、前記各タイムフレームのリソース使用量に基づいて、前記上り無線リソース割当開始時点を決定するように構成されていることを特徴とする無線基地局。
【請求項２】
前記所定周期内の各タイムフレームのリソース使用量に基づいて、前記移動局に関する間欠受信における受信区間を設定するように構成されている設定部を更に具備し、
前記固定的割当信号送信部は、前記上り無線リソース割当開始時点が前記間欠受信における受信区間内に含まれるように、前記上り無線リソース割当開始時点を決定するように構成されていることを特徴とする請求項１に記載の無線基地局。
【請求項３】
前記上りリンク固定的割当信号送信部は、前記リソース使用量が最も小さいタイムフレームが前記上り無線リソース割当開始時点となるように、前記上り無線リソース割当開始時点を決定するように構成されていることを特徴とする請求項１に記載の無線基地局。
【請求項４】
前記上りリンク固定的割当信号送信部は、前記リソース使用量が最も小さいタイムフレームが前記上り無線リソース割当開始時点となるように、前記上り無線リソース割当開始時点を決定するように構成されていることを特徴とする請求項１に記載の無線基地局。
【請求項５】
前記設定部は、各タイムフレームのリソース使用量が均等になるように、前記間欠受信における受信区間を設定するように構成されていることを特徴とする請求項２に記載の無線基地局。
【請求項６】
前記設定部は、前記間欠受信における受信区間内のタイムフレームのリソース使用量の合計値が最小となるように、該間欠受信における受信区間を設定するように構成されていることを特徴とする請求項２に記載の無線基地局。
【請求項７】
前記上りリンク固定的割当信号送信部は、前記上りデータを受信するタイミングが、上りリンクの制御信号又は上りリンクのサウンディングリファレンス信号を受信するタイミングと一致しないように、前記上り無線リソース割当開始時点を決定するように構成されていることを特徴とする請求項１に記載の無線基地局。
【請求項８】
前記上りリンク固定的割当信号送信部は、前記上りデータを受信するタイミングが、上りリンクの制御信号又は上りリンクのサウンディングリファレンス信号を受信するタイミングと一致しないように、前記上り無線リソース割当開始時点を決定するように構成されていることを特徴とする請求項２に記載の無線基地局。
【請求項９】
前記上りリンク固定的割当信号送信部は、前記上りデータを受信するタイミングが、上りリンクの制御信号又は上りリンクのサウンディングリファレンス信号を受信するタイミングと一致しないように、前記上り無線リソース割当開始時点を決定するように構成されていることを特徴とする請求項３に記載の無線基地局。
【請求項１０】
前記移動局に対して、下り無線リソース割当開始時点を示す固定的割当信号を送信するように構成されている下りリンク固定的割当信号送信部と、
前記下り無線リソース割当開始時点を起点とした下り無線リソースを用いた下りデータの送信を行うように構成されている下りリンク通信部とをさらに具備し、
前記上りリンク固定的割当信号送信部は、前記上りデータを受信するタイミングが、前記下りデータに対する送達確認情報を受信するタイミングと一致しないように、前記上り無線リソース割当開始時点を決定するように構成されていることを特徴とする請求項１に記載の無線基地局。
【請求項１１】
前記移動局に対して、下り無線リソース割当開始時点を示す固定的割当信号を送信するように構成されている下りリンク固定的割当信号送信部と、
前記下り無線リソース割当開始時点を起点とした下り無線リソースを用いた下りデータの送信を行うように構成されている下りリンク通信部とをさらに具備し、
前記上りリンク固定的割当信号送信部は、前記上りデータを受信するタイミングが、前記下りデータに対する送達確認情報を受信するタイミングと一致しないように、前記上り無線リソース割当開始時点を決定するように構成されていることを特徴とする請求項２に記載の無線基地局。
【請求項１２】
前記移動局に対して、下り無線リソース割当開始時点を示す固定的割当信号を送信するように構成されている下りリンク固定的割当信号送信部と、
前記下り無線リソース割当開始時点を起点とした下り無線リソースを用いた下りデータの送信を行うように構成されている下りリンク通信部とをさらに具備し、
前記上りリンク固定的割当信号送信部は、前記上りデータを受信するタイミングが、前記下りデータに対する送達確認情報を受信するタイミングと一致しないように、前記上り無線リソース割当開始時点を決定するように構成されていることを特徴とする請求項３に記載の無線基地局。
【請求項１３】
前記測定部は、ランダムアクセスチャネルに割り当てられるリソース、保護用リソース、ランダムアクセスチャネルメッセージ３に割り当てられるリソース、セル内の全移動局に割り当てられる前記上り無線リソースの少なくとも１つに基づいて、前記リソース使用量を測定するように構成されていることを特徴とする請求項１に記載の無線基地局。
【請求項１４】
無線基地局が、移動局から、上り無線リソース割当開始時点を起点として所定周期で固定的に割り当てられている上り無線リソースを用いて、上りデータの受信を行う通信制御方法であって、
前記無線基地局が、前記所定周期内の各タイムフレームのリソース使用量を測定する工程Ａと、
前記無線基地局が、前記移動局に対して、前記上り無線リソース割当開始時点を示す固定的割当信号を送信する工程Ｂと、
前記無線基地局が、前記上り無線リソース割当開始時点を起点とした前記上り無線リソースを用いた前記上りデータの受信を行う工程Ｃとを有し、
前記工程Ｂにおいて、前記無線基地局が、前記各タイムフレームのリソース使用量に基づいて、前記上り無線リソース割当開始時点を決定することを特徴とする通信制御方法。
【請求項１５】
移動局に対して、上り無線リソース割当開始時点を起点として所定周期で固定的に割り当てられている上り無線リソースを用いて、上りデータの受信を行うように構成されている無線基地局であって、
前記移動局に対して、前記上り無線リソース割当開始時点を示す固定的割当信号を送信するように構成されている上りリンク固定的割当信号送信部と、
前記上り無線リソース割当開始時点を起点とした前記上り無線リソースを用いた前記上りデータの受信を行うように構成されている通信部とを具備し、
前記上りリンク固定的割当信号送信部は、前記上りデータを受信するタイミングが、上りリンクの制御信号又は上りリンクのリファレンス信号を受信するタイミングと一致しないように、前記上り無線リソース割当開始時点を決定するように構成されていることを特徴とする無線基地局。
【請求項１６】
前記上りリンクの制御信号は、下りリンクの無線品質情報又はスケジューリング要求であることを特徴とする請求項１５に記載の無線基地局。
【請求項１７】
移動局に対して、下り無線リソース割当開始時点を起点として所定周期で固定的に割り当てられている下り無線リソースを用いて、下りデータの送信を行い、かつ、上り無線リソース割当開始時点を起点として所定周期で固定的に割り当てられている上り無線リソースを用いて、上りデータの受信を行うように構成されている無線基地局であって、
前記移動局に対して、前記下り無線リソース割当開始時点を示す固定的割当信号を送信するように構成されている下りリンク固定的割当信号送信部と、
前記下り無線リソース割当開始時点を起点とした前記下り無線リソースを用いた前記下りデータの送信を行うように構成されている下りリンク通信部と、
前記移動局に対して、前記上り無線リソース割当開始時点を示す固定的割当信号を送信するように構成されている上りリンク固定的割当信号送信部と、
前記上り無線リソース割当開始時点を起点とした前記上り無線リソースを用いた前記上りデータの受信を行うように構成されている上りリンク通信部とを具備し、
前記上りリンク固定的割当信号送信部は、前記上りデータを受信するタイミングが、前記下りデータに対する送達確認情報を受信するタイミングと一致しないように、前記上り無線リソース割当開始時点を決定するように構成されていることを特徴とする無線基地局。
【請求項１８】
移動局から、上り無線リソース割当開始時点を起点として所定周期で固定的に割り当てられている上り無線リソースを用いて、上りデータの受信を行うように構成されている無線基地局であって、
前記移動局に対して、前記上り無線リソース割当開始時点及び前記上り無線リソースを示す固定的割当信号を送信するように構成されている上りリンク固定的割当信号送信部と、
前記上り無線リソース割当開始時点を起点とした前記上り無線リソースを用いた前記上りデータの受信を行うように構成されている上りリンク通信部とを具備し、
前記上りリンク固定的割当信号送信部は、ランダムアクセスチャネルに割り当てられるリソース、保護用リソース、ランダムアクセスチャネルメッセージ３に割り当てられるリソース、セル内の全移動局に割り当てられる前記上り無線リソースと重ならないように、前記上り無線リソースを決定するように構成されていることを特徴とする無線基地局。
【請求項１９】
前記上りリンク固定的割当信号送信部は、前記上り無線リソースを、システム内の全無線リソース空間の一方の端から割り当て、ランダムアクセスチャネルに割り当てられるリソース、保護用リソース、ランダムアクセスチャネルメッセージ３に割り当てられるリソース、セル内の全移動局に割り当てられる前記上り無線リソースを、該全無線リソース空間の他方の端から割り当てるように構成されていることを特徴とする請求項１８に記載の無線基地局。
【請求項２０】
前記上りリンク固定的割当信号送信部は、無線伝送路における伝搬損失に基づいて決定される上り無線リソースが、前記上り無線リソースと異なる場合に、前記固定的割当信号を送信するように構成されていることを特徴とする請求項１９に記載の無線基地局。
【請求項２１】
前記上りリンク固定的割当信号送信部は、前記固定的割当信号を送信してから所定時間以上経過した場合に、前記固定的割当信号を送信するように構成されていることを特徴とする請求項１９に記載の無線基地局。
【請求項２２】
移動局から、上り無線リソース割当開始時点を起点として所定周期で固定的に割り当てられている上り無線リソースを用いて、上りデータの受信を行うように構成されている無線基地局であって、
前記移動局の送信状態を管理するように構成されている送信状態管理部と、
前記移動局に対して、前記上り無線リソース割当開始時点及び前記上り無線リソースを示す固定的割当信号を送信するように構成されている上りリンク固定的割当信号送信部と、
前記上り無線リソース割当開始時点を起点とした前記上り無線リソースを用いた前記上りデータの受信を行うように構成されている上りリンク通信部とを具備し、
前記上りリンク固定的割当信号送信部は、前記移動局の送信状態がオフであり、かつ、該移動局における上りバッファ滞留量又は該移動局より送信されたデータサイズが第１閾値よりも小さく、かつ、該移動局における上りバッファ滞留量又は該移動局より送信されたデータサイズが第２閾値よりも大きい場合に、前記固定的割当信号を送信するように構成されていることを特徴とする無線基地局。
【請求項２３】
移動局から、上り無線リソース割当開始時点を起点として所定周期で固定的に割り当てられている上り無線リソースを用いて、上りデータの受信を行うように構成されている無線基地局であって、
前記移動局に対して、前記上り無線リソース割当開始時点及び前記上り無線リソースを示す固定的割当信号を送信するように構成されている上りリンク固定的割当信号送信部と、
前記上り無線リソース割当開始時点を起点とした前記上り無線リソースを用いた前記上りデータの受信及び該上りデータに対する送達確認情報の送信を行うように構成されている上りリンク通信部とを具備し、
前記上りリンク固定的割当信号送信部は、前記上りデータの最大再送回数満了による破棄が連続して所定回数発生した場合に、前記固定的割当信号を送信するように構成されていることを特徴とする無線基地局。
【請求項２４】
無線基地局が、移動局から、上り無線リソース割当開始時点を起点として所定周期で固定的に割り当てられている上り無線リソースを用いて、上りデータの受信を行う通信制御方法であって、
前記無線基地局が、前記移動局に対して、前記上り無線リソース割当開始時点及び前記上り無線リソースを示す固定的割当信号を送信する工程Ａと、
前記無線基地局が、前記上り無線リソース割当開始時点を起点とした前記上り無線リソースを用いた前記上りデータの受信を行う工程Ｂとを有し、
前記工程Ａにおいて、前記無線基地局は、ランダムアクセスチャネルに割り当てられるリソース、保護用リソース、ランダムアクセスチャネルメッセージ３に割り当てられるリソース、セル内の全移動局に割り当てられる前記上り無線リソースと重ならないように、前記上り無線リソースを割り当てることを特徴とする通信制御方法。
【請求項２５】
無線基地局が、移動局から、上り無線リソース割当開始時点を起点として所定周期で固定的に割り当てられている上り無線リソースを用いて、上りデータの受信を行う通信制御方法であって、
前記無線基地局が、前記移動局の送信状態を管理する工程Ａと、
前記無線基地局が、前記移動局に対して、前記上り無線リソース割当開始時点及び前記上り無線リソースを示す固定的割当信号を送信する工程Ｂと、
前記無線基地局が、前記上り無線リソース割当開始時点を起点とした前記上り無線リソースを用いた前記上りデータの受信を行う工程Ｃとを有し、
前記工程Ｂにおいて、前記無線基地局は、前記移動局の送信状態がオフであり、かつ、該移動局における上りバッファ滞留量又は該移動局より送信されたデータサイズが第１閾値よりも小さく、かつ、該移動局における上りバッファ滞留量又は該移動局より送信されたデータサイズが第２閾値よりも大きい場合に、前記固定的割当信号を送信することを特徴とする通信制御方法。
【請求項２６】
無線基地局が、移動局から、上り無線リソース割当開始時点を起点として所定周期で固定的に割り当てられている上り無線リソースを用いて、上りデータの送信を行う通信制御方法であって、
前記無線基地局が、前記移動局に対して、前記上り無線リソース割当開始時点及び前記上り無線リソースを示す固定的割当信号を送信する工程Ａと、
前記無線基地局が、前記上り無線リソース割当開始時点を起点とした前記上り無線リソースを用いた前記上りデータの受信及び該上りデータに対する送達確認情報の送信を行う工程Ｂとを有し、
前記工程Ａにおいて、前記無線基地局は、前記上りデータの最大再送回数満了による破棄が連続して所定回数発生した場合に、前記固定的割当信号を送信することを特徴とする通信制御方法。
【発明の詳細な説明】
【技術分野】
【０００１】
本発明は、移動局に対して、上り無線リソース割当開始時点を起点として所定周期で固定的に割り当てられている上り無線リソースを用いて、上りデータの受信を行うように構成されている無線基地局及び通信制御方法に関する。
【背景技術】
【０００２】
Ｗ-ＣＤＭＡ方式やＨＳＤＰＡ方式の後継となる通信方式、すなわち、ＬＴＥ（Ｌｏｎｇ  Ｔｅｒｍ  Ｅｖｏｌｕｔｉｏｎ）方式が、Ｗ-ＣＤＭＡの標準化団体である３ＧＰＰにより検討され、その仕様策定作業が進められている。【０００３】
ＬＴＥ方式においては、無線アクセス方式として、下りリンクについてはＯＦＤＭＡが用いられ、上りリンクについてはＳＣ-ＦＤＭＡ（Ｓｉｎｇｌｅ-Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）が用いられることが検討されている。【０００４】
ＯＦＤＭＡは、周波数帯域を複数の狭い周波数帯域（サブキャリア）に分割し、各周波数帯上にデータを載せて伝送を行う方式であり、サブキャリアを周波数上に、一部重なりあいながらも互いに干渉することなく密に並べることで、高速伝送を実現し、周波数の利用効率を上げることができる。【０００５】
ＳＣ-ＦＤＭＡは、周波数帯域を分割し、複数の端末間で異なる周波数帯域を用いて伝送することで、端末間の干渉を低減することができる伝送方式である。ＳＣ-ＦＤＭＡでは、送信電力の変動が小さくなる特徴を持つことから、端末の低消費電力化及び広いカバレッジを実現できる。【０００６】
ＬＴＥ方式は、上りリンク及び下りリンク共に、１つ乃至２つ以上の物理チャネルを複数の移動局で共有して通信を行うシステムである。【０００７】
複数の移動局で共有されるチャネルは、一般に共有チャネルと呼ばれ、ＬＴＥ方式においては、上りリンクにおいては「物理上りリンク共有チャネル（Ｐｈｙｓｉｃａｌ  Ｕｐｌｉｎｋ  Ｓｈａｒｅｄ  Ｃｈａｎｎｅｌ：  ＰＵＳＣＨ）」であり、下りリンクにおいては「物理下りリンク共有チャネル（Ｐｈｙｓｉｃａｌ  Ｄｏｗｎｌｉｎｋ  Ｓｈａｒｅｄ  Ｃｈａｎｎｅｌ：  ＰＤＳＣＨ）」である。【０００８】
また、かかる共有チャネルは、トランスポートチャネルとしては、上りリンクにおいては「上りリンク共有チャネル（ＵＬ-ＳＣＨ：  Ｕｐｌｉｎｋ  Ｓｈａｒｅｄ  Ｃｈａｎｎｅｌ）」であり、下りリンクにおいては「下りリンク共有チャネル（ＤＬ-ＳＣＨ：  Ｄｏｗｎｌｉｎｋ  Ｓｈａｒｅｄ  Ｃｈａｎｎｅｌ）」である。【０００９】
そして、上述したような共有チャネルを用いた通信システムにおいては、サブフレーム（Ｓｕｂ-ｆｒａｍｅ）（ＬＴＥ方式では、１ｍｓ）毎に、どの移動局ＵＥに対して共有チャネルを割り当てるかを選択し、選択された移動局ＵＥに対して、共有チャネルを割り当てることをシグナリングする必要がある。【００１０】
このシグナリングのために用いられる制御チャネルは、ＬＴＥ方式では、「物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）」又は「下りリンクＬ１/Ｌ２制御チャネル（ＤＬ  Ｌ１/Ｌ２  Ｃｏｎｔｒｏｌ  Ｃｈａｎｎｅｌ：  Ｄｏｗｎｌｉｎｋ  Ｌ１/Ｌ２  Ｃｏｎｔｒｏｌ  Ｃｈａｎｎｅｌ）」と呼ばれる。【００１１】
なお、上述した、サブフレーム毎に、どの移動局ＵＥに対して共有チャネルを割り当てるかを選択する処理のことを、一般に「スケジューリング」と呼ぶ。この場合、サブフレーム毎に、動的に共有チャネルを割り当てる移動局ＵＥを選択するため、「Ｄｙｎａｍｉｃスケジューリング」と呼ばれてもよい。また、上述した「共有チャネルを割り当てる」とは、「共有チャネルのための無線リソースを割り当てる」と表現されてもよい。【００１２】
物理下りリンク制御チャネルの情報には、例えば、「下りリンクスケジューリング情報（Ｄｏｗｎｌｉｎｋ  Ｓｃｈｅｄｕｌｉｎｇ  Ｉｎｆｏｒｍａｔｉｏｎ）」や、「上りリンクスケジューリンググラント（Ｕｐｌｉｎｋ  Ｓｃｈｅｄｕｌｉｎｇ  Ｇｒａｎｔ）」等が含まれる。【００１３】
「Ｄｏｗｎｌｉｎｋ  Ｓｃｈｅｄｕｌｉｎｇ  Ｉｎｆｏｒｍａｔｉｏｎ」には、例えば、下りリンクの共有チャネルに関する、下りリンクのリソースブロック（Ｒｅｓｏｕｒｃｅ  Ｂｌｏｃｋ）の割り当て情報、ＵＥのＩＤ、ストリームの数、プリコーディングベクトル（Ｐｒｅｃｏｄｉｎｇ  Ｖｅｃｔｏｒ）に関する情報、データサイズ、変調方式、ＨＡＲＱ（ｈｙｂｒｉｄ  ａｕｔｏｍａｔｉｃ  ｒｅｐｅａｔ  ｒｅｑｕｅｓｔ）に関する情報等が含まれる。【００１４】
また、「Ｕｐｌｉｎｋ  Ｓｃｈｅｄｕｌｉｎｇ  Ｇｒａｎｔ」には、例えば、上りリンクの共有チャネルに関する、上りリンクのリソースブロック（Ｒｅｓｏｕｒｃｅ  Ｂｌｏｃｋ）の割り当て情報、ＵＥのＩＤ、データサイズ、変調方式、上りリンクの送信電力情報、Ｕｐｌｉｎｋ  ＭＩＭＯにおけるデモジュレーション  レファレンス  シグナル（Ｄｅｍｏｄｕｌａｔｉｏｎ  Ｒｅｆｅｒｅｎｃｅ  Ｓｉｇｎａｌ）の情報等が含まれる。【００１５】
なお、上述した「Ｄｏｗｎｌｉｎｋ  Ｓｃｈｅｄｕｌｉｎｇ  Ｉｎｆｏｒａｍｔｉｏｎ」や「Ｕｐｌｉｎｋ  Ｓｃｈｅｄｕｌｉｎｇ  Ｇｒａｎｔ」は、まとめて、「下りリンク制御情報（ＤＣＩ：Ｄｏｗｎｌｉｎｋ  Ｃｏｎｔｒｏｌ  Ｉｎｆｏｒｍａｔｉｏｎ）」と呼ばれてもよい。【００１６】
一方、ＶｏＩＰ等を実現するために検討されている「Ｐｅｒｓｉｓｔｅｎｔスケジューリング」では、無線基地局ｅＮＢは、ＰＤＣＣＨを介して下りスケジューリング情報を移動局ＵＥに対して送信したサブフレーム（下り無線リソース割当開始時点又は上り無線リソース割当開始時点）を起点として、下り無線リソース（ＰＤＳＣＨ）又は上り無線リソース（ＰＵＳＣＨ）を、所定周期で固定的に当該移動局に割り当てるように構成されている。【００１７】
なお、「Ｐｅｒｓｉｓｔｅｎｔスケジューリング」は、「Ｓｅｍｉ-Ｐｅｒｓｉｓｔｅｎｔスケジューリング（ＳＰＳ：Ｓｅｍｉ  Ｐｅｒｓｉｓｔｅｎｔ  Ｓｃｈｅｄｕｌｉｎｇ）」と呼ばれてもよい。
【発明の概要】
【発明が解決しようとする課題】
【００１８】
一般に、移動通信システムにおいては、「統計多重効果」と呼ばれる効果により、無線容量の増大が図られる。【００１９】
すなわち、無線基地局ｅＮＢとの間にコネクションを張っている移動局ＵＥの数と実際にデータのやり取りを行っている移動局ＵＥの数との間には違いがあり、データのやり取りを行う移動局ＵＥが統計的に分散されるため、結果として、コネクションを張る移動局ＵＥの数が増大するという仕組みにより、無線容量の増大が図られる。【００２０】
Ｐｅｒｓｉｓｔｅｎｔスケジューリングにおいては、上述したように、ＰＤＣＣＨを介して上りスケジューリンググラントを移動局ＵＥに対して送信したサブフレーム（上り無線リソース割当開始時点）を起点として、上り無線リソース（ＰＵＳＣＨ）が、所定周期で固定的に当該移動局ＵＥに割り当てられる。かかる場合、各上り無線リソース割当開始時点に多重される移動局ＵＥの数は均等になることが望ましい。【００２１】
例えば、所定周期が２０ｍｓである場合に、ある１ｍｓには１０台の移動局ＵＥが多重され、別の１ｍｓには２台の移動局ＵＥのみが多重されるというケースよりも、ある１ｍｓに６台の移動局ＵＥが多重され、別の１ｍｓにも６台の移動局ＵＥが多重されるというケースの方が、上述した統計多重効果は得られやすい。何故ならば、上述した例において、２台の移動局ＵＥのみが多重される１ｍｓにおいては、統計多重効果が極めて小さいためである。【００２２】
また、一般に、移動通信システムにおいては、無線リソースを効率的に割り当てることにより、その通信容量を増大させることが可能となる。【００２３】
例えば、図１０の（Ａ）と図１０（Ｂ）とを比較した場合、図１０（Ｂ）の方が、整然と無線リソースが割り当てられており、残りの無線リソース（白い部分）を効率的に使用可能であるため、より効率の良い通信を実現することが可能である。【００２４】
一方、上述した「Ｐｅｒｓｉｓｔｅｎｔスケジューリング」においては、上りリンクスケジューリンググラントや下りリンクスケジューリング情報により、上り無線リソース割当開始時点が指定され、かつ、かかる上り無線リソース割当開始時点を起点として、周期的に、かつ、固定的に無線リソースが割り当てられる。【００２５】
この場合、「Ｄｙｎａｍｉｃスケジューリング」と異なり、サブフレーム毎（１ｍｓ毎）に周波数方向の無線リソースを柔軟に割り当てることができないため、図１０（Ａ）に示したような非効率的な無線リソースの割り当てが行われる確率が高くなる。【００２６】
また、移動通信システムにおいては、下りリンクにおいては、報知チャネルやページングチャネル等の共通チャネルが送信され、また、上りリンクにおいては、ランダムアクセスチャネル等の共通チャネルが周期的に送信される。【００２７】
上述した「Ｐｅｒｓｉｓｔｅｎｔスケジューリング」の無線リソースと、共通チャネルの無線リソースとが衝突した場合、かかる共通チャネルに対して、優先的に無線リソースが割り当てられるため、かかる共通チャネルの送信を考慮して、「Ｐｅｒｓｉｓｔｅｎｔスケジューリング」は適用されなければならない。【００２８】
そこで、本発明は、上述の課題に鑑みてなされたものであり、統計多重効果を最大化するように、「Ｐｅｒｓｉｓｔｅｎｔスケジューリング」により割り当てられる上り無線リソースを設定することにより、高効率の移動通信システムを実現することができる無線基地局及び通信制御方法を提供することを目的とする。【００２９】
また、本発明は、上述の課題に鑑みてなされたものであり、「Ｐｅｒｓｉｓｔｅｎｔスケジューリング」により割り当てられる上り無線リソースを適切に設定することにより、高効率の移動通信システムを実現することができる無線基地局及び通信制御方法を提供することを目的とする。
【課題を解決するための手段】
【００３０】
本発明の第１の特徴は、移動局に対して、上り無線リソース割当開始時点を起点として所定周期で固定的に割り当てられている上り無線リソースを用いて、上りデータの受信を行うように構成されている無線基地局であって、前記所定周期内の各タイムフレームのリソース使用量を測定するように構成されている測定部と、前記移動局に対して、前記上り無線リソース割当開始時点を示す固定的割当信号を送信するように構成されている上りリンク固定的割当信号送信部と、前記上り無線リソース割当開始時点を起点とした前記上り無線リソースを用いた前記上りデータの受信を行うように構成されている上りリンク通信部とを具備し、前記上りリンク固定的割当信号送信部は、前記各タイムフレームのリソース使用量に基づいて、前記上り無線リソース割当開始時点を決定するように構成されていることを要旨とする。【００３１】
本発明の第１の特徴において、前記所定周期内の各タイムフレームのリソース使用量に基づいて、前記移動局に関する間欠受信における受信区間を設定するように構成されている設定部を更に具備し、前記固定的割当信号送信部は、前記上り無線リソース割当開始時点が前記間欠受信における受信区間内に含まれるように、前記上り無線リソース割当開始時点を決定するように構成されていてもよい。【００３２】
本発明の第１の特徴において、前記上りリンク固定的割当信号送信部は、前記リソース使用量が最も小さいタイムフレームが前記上り無線リソース割当開始時点となるように、前記上り無線リソース割当開始時点を決定するように構成されていてもよい。【００３３】
本発明の第１の特徴において、前記設定部は、各タイムフレームのリソース使用量が均等になるように、前記間欠受信における受信区間を設定するように構成されていてもよい。【００３４】
本発明の第１の特徴において、前記設定部は、前記間欠受信における受信区間内のタイムフレームのリソース使用量の合計値が最小となるように、該間欠受信における受信区間を設定するように構成されていてもよい。【００３５】
本発明の第１の特徴において、前記上りリンク固定的割当信号送信部は、前記上りデータを受信するタイミングが、上りリンクの制御信号又は上りリンクのサウンディングリファレンス信号を受信するタイミングと一致しないように、前記上り無線リソース割当開始時点を決定するように構成されていてもよい。【００３６】
本発明の第１の特徴において、前記移動局に対して、下り無線リソース割当開始時点を示す固定的割当信号を送信するように構成されている下りリンク固定的割当信号送信部と、前記下り無線リソース割当開始時点を起点とした下り無線リソースを用いた下りデータの送信を行うように構成されている下りリンク通信部とをさらに具備し、前記上りリンク固定的割当信号送信部は、前記上りデータを受信するタイミングが、前記下りデータに対する送達確認情報を受信するタイミングと一致しないように、前記上り無線リソース割当開始時点を決定するように構成されていてもよい。【００３７】
本発明の第１の特徴において、前記測定部は、ランダムアクセスチャネルに割り当てられるリソース、保護用リソース、ランダムアクセスチャネルメッセージ３に割り当てられるリソース、セル内の全移動局に割り当てられる前記上り無線リソースの少なくとも１つに基づいて、前記リソース使用量を測定するように構成されていてもよい。【００３８】
本発明の第２の特徴は、無線基地局が、移動局から、上り無線リソース割当開始時点を起点として所定周期で固定的に割り当てられている上り無線リソースを用いて、上りデータの受信を行う通信制御方法であって、前記無線基地局が、前記所定周期内の各タイムフレームのリソース使用量を測定する工程Ａと、前記無線基地局が、前記移動局に対して、前記上り無線リソース割当開始時点を示す固定的割当信号を送信する工程Ｂと、前記無線基地局が、前記上り無線リソース割当開始時点を起点とした前記上り無線リソースを用いた前記上りデータの受信を行う工程Ｃとを有し、前記工程Ｂにおいて、前記無線基地局が、前記各タイムフレームのリソース使用量に基づいて、前記上り無線リソース割当開始時点を決定することを要旨とする。【００３９】
本発明の第３の特徴は、移動局に対して、上り無線リソース割当開始時点を起点として所定周期で固定的に割り当てられている上り無線リソースを用いて、上りデータの受信を行うように構成されている無線基地局であって、前記移動局に対して、前記上り無線リソース割当開始時点を示す固定的割当信号を送信するように構成されている上りリンク固定的割当信号送信部と、前記上り無線リソース割当開始時点を起点とした前記上り無線リソースを用いた前記上りデータの受信を行うように構成されている通信部とを具備し、前記上りリンク固定的割当信号送信部は、前記上りデータを受信するタイミングが、上りリンクの制御信号又は上りリンクのリファレンス信号を受信するタイミングと一致しないように、前記上り無線リソース割当開始時点を決定するように構成されていることを要旨とする。【００４０】
本発明の第３の特徴において、前記上りリンクの制御信号は、下りリンクの無線品質情報又はスケジューリング要求であってもよい。【００４１】
本発明の第４の特徴は、移動局に対して、下り無線リソース割当開始時点を起点として所定周期で固定的に割り当てられている下り無線リソースを用いて、下りデータの送信を行い、かつ、上り無線リソース割当開始時点を起点として所定周期で固定的に割り当てられている上り無線リソースを用いて、上りデータの受信を行うように構成されている無線基地局であって、前記移動局に対して、前記下り無線リソース割当開始時点を示す固定的割当信号を送信するように構成されている下りリンク固定的割当信号送信部と、前記下り無線リソース割当開始時点を起点とした前記下り無線リソースを用いた前記下りデータの送信を行うように構成されている下りリンク通信部と、前記移動局に対して、前記上り無線リソース割当開始時点を示す固定的割当信号を送信するように構成されている上りリンク固定的割当信号送信部と、前記上り無線リソース割当開始時点を起点とした前記上り無線リソースを用いた前記上りデータの受信を行うように構成されている上りリンク通信部とを具備し、前記上りリンク固定的割当信号送信部は、前記上りデータを受信するタイミングが、前記下りデータに対する送達確認情報を受信するタイミングと一致しないように、前記上り無線リソース割当開始時点を決定するように構成されていることを要旨とする。【００４２】
本発明の第５の特徴は、移動局から、上り無線リソース割当開始時点を起点として所定周期で固定的に割り当てられている上り無線リソースを用いて、上りデータの受信を行うように構成されている無線基地局であって、前記移動局に対して、前記上り無線リソース割当開始時点及び前記上り無線リソースを示す固定的割当信号を送信するように構成されている上りリンク固定的割当信号送信部と、前記上り無線リソース割当開始時点を起点とした前記上り無線リソースを用いた前記上りデータの受信を行うように構成されている上りリンク通信部とを具備し、前記上りリンク固定的割当信号送信部は、ランダムアクセスチャネルに割り当てられるリソース、保護用リソース、ランダムアクセスチャネルメッセージ３に割り当てられるリソース、セル内の全移動局に割り当てられる前記上り無線リソースと重ならないように、前記上り無線リソースを決定するように構成されていることを要旨とする。【００４３】
本発明の第５の特徴において、前記上りリンク固定的割当信号送信部は、前記上り無線リソースを、システム内の全無線リソース空間の一方の端から割り当て、ランダムアクセスチャネルに割り当てられるリソース、保護用リソース、ランダムアクセスチャネルメッセージ３に割り当てられるリソース、セル内の全移動局に割り当てられる前記上り無線リソースを、該全無線リソース空間の他方の端から割り当てるように構成されていてもよい。【００４４】
本発明の第５の特徴において、前記上りリンク固定的割当信号送信部は、無線伝送路における伝搬損失に基づいて決定される上り無線リソースが、前記上り無線リソースと異なる場合に、前記固定的割当信号を送信するように構成されていてもよい。【００４５】
本発明の第５の特徴において、前記上りリンク固定的割当信号送信部は、前記固定的割当信号を送信してから所定時間以上経過した場合に、前記固定的割当信号を送信するように構成されていてもよい。【００４６】
本発明の第６の特徴は、移動局から、上り無線リソース割当開始時点を起点として所定周期で固定的に割り当てられている上り無線リソースを用いて、上りデータの受信を行うように構成されている無線基地局であって、前記移動局の送信状態を管理するように構成されている送信状態管理部と、前記移動局に対して、前記上り無線リソース割当開始時点及び前記上り無線リソースを示す固定的割当信号を送信するように構成されている上りリンク固定的割当信号送信部と、前記上り無線リソース割当開始時点を起点とした前記上り無線リソースを用いた前記上りデータの受信を行うように構成されている上りリンク通信部とを具備し、前記上りリンク固定的割当信号送信部は、前記移動局の送信状態がオフであり、かつ、該移動局における上りバッファ滞留量又は該移動局より送信されたデータサイズが第１閾値よりも小さく、かつ、該移動局における上りバッファ滞留量又は該移動局より送信されたデータサイズが第２閾値よりも大きい場合に、前記固定的割当信号を送信するように構成されていることを要旨とする。【００４７】
本発明の第７の特徴は、移動局から、上り無線リソース割当開始時点を起点として所定周期で固定的に割り当てられている上り無線リソースを用いて、上りデータの受信を行うように構成されている無線基地局であって、前記移動局に対して、前記上り無線リソース割当開始時点及び前記上り無線リソースを示す固定的割当信号を送信するように構成されている上りリンク固定的割当信号送信部と、前記上り無線リソース割当開始時点を起点とした前記上り無線リソースを用いた前記上りデータの受信及び該上りデータに対する送達確認情報の送信を行うように構成されている上りリンク通信部とを具備し、前記上りリンク固定的割当信号送信部は、前記上りデータの最大再送回数満了による破棄が連続して所定回数発生した場合に、前記固定的割当信号を送信するように構成されていることを要旨とする。【００４８】
本発明の第８の特徴は、無線基地局が、移動局から、上り無線リソース割当開始時点を起点として所定周期で固定的に割り当てられている上り無線リソースを用いて、上りデータの受信を行う通信制御方法であって、前記無線基地局が、前記移動局に対して、前記上り無線リソース割当開始時点及び前記上り無線リソースを示す固定的割当信号を送信する工程Ａと、前記無線基地局が、前記上り無線リソース割当開始時点を起点とした前記上り無線リソースを用いた前記上りデータの受信を行う工程Ｂとを有し、前記工程Ａにおいて、前記無線基地局は、ランダムアクセスチャネルに割り当てられるリソース、保護用リソース、ランダムアクセスチャネルメッセージ３に割り当てられるリソース、セル内の全移動局に割り当てられる前記上り無線リソースと重ならないように、前記上り無線リソースを割り当てることを要旨とする。【００４９】
本発明の第９の特徴は、無線基地局が、移動局から、上り無線リソース割当開始時点を起点として所定周期で固定的に割り当てられている上り無線リソースを用いて、上りデータの受信を行う通信制御方法であって、前記無線基地局が、前記移動局の送信状態を管理する工程Ａと、前記無線基地局が、前記移動局に対して、前記上り無線リソース割当開始時点及び前記上り無線リソースを示す固定的割当信号を送信する工程Ｂと、前記無線基地局が、前記上り無線リソース割当開始時点を起点とした前記上り無線リソースを用いた前記上りデータの受信を行う工程Ｃとを有し、前記工程Ｂにおいて、前記無線基地局は、前記移動局の送信状態がオフであり、かつ、該移動局における上りバッファ滞留量又は該移動局より送信されたデータサイズが第１閾値よりも小さく、かつ、該移動局における上りバッファ滞留量又は該移動局より送信されたデータサイズが第２閾値よりも大きい場合に、前記固定的割当信号を送信することを要旨とする。【００５０】
本発明の第１０の特徴は、無線基地局が、移動局から、上り無線リソース割当開始時点を起点として所定周期で固定的に割り当てられている上り無線リソースを用いて、上りデータの送信を行う通信制御方法であって、前記無線基地局が、前記移動局に対して、前記上り無線リソース割当開始時点及び前記上り無線リソースを示す固定的割当信号を送信する工程Ａと、前記無線基地局が、前記上り無線リソース割当開始時点を起点とした前記上り無線リソースを用いた前記上りデータの受信及び該上りデータに対する送達確認情報の送信を行う工程Ｂとを有し、前記工程Ａにおいて、前記無線基地局は、前記上りデータの最大再送回数満了による破棄が連続して所定回数発生した場合に、前記固定的割当信号を送信することを要旨とする。
【発明の効果】
【００５１】
以上説明したように、本発明によれば、統計多重効果を最大化するように、「Ｐｅｒｓｉｓｔｅｎｔスケジューリング」により割り当てられる上り無線リソースを設定することにより、高効率の移動通信システムを実現することができる無線基地局及び通信制御方法を提供することができる。【００５２】
また、本発明によれば、「Ｐｅｒｓｉｓｔｅｎｔスケジューリング」により割り当てられる上り無線リソースを適切に設定することにより、高効率の移動通信システムを実現することができる無線基地局及び通信制御方法を提供することができる。
【図面の簡単な説明】
【００５３】
【図１】図１は、本発明の第１の実施形態に係る移動通信システムの全体構成図である。
【図２】図２は、本発明の第１の実施形態に係る無線基地局の機能ブロック図である。
【図３】図３は、本発明の第１の実施形態に係る無線基地局のＲＢ使用量算出部の動作について説明するための図である。
【図４】図４は、本発明の第１の実施形態に係る無線基地局のＲＢ使用量算出部の動作について説明するためのフローチャートである。
【図５】図５は、本発明の第１の実施形態に係る無線基地局のＤＲＸ  ＯＮ区間設定処理部の動作について説明するための図である。
【図６】図６は、本発明の第１の実施形態に係る無線基地局のＴａｌｋ  Ｓｐｕｒｔ状態管理部の動作について説明するためのフローチャートである。
【図７】図７は、本発明の第１の実施形態に係る無線基地局のＴａｌｋ  Ｓｐｕｒｔ状態管理部で用いられる「Ｐｅｒｓｉｓｔｅｎｔ  ＵＬ  ＴＦＲテーブル」の一例を示す図である。
【図８】図８は、本発明の第１の実施形態に係る無線基地局のＴａｌｋ  Ｓｐｕｒｔ状態管理部で選択される送信フォーマットの一例を示す図である。
【図８Ａ】図８Ａは、本発明の第１の実施形態に係る無線基地局のＴａｌｋ  Ｓｐｕｒｔ状態管理部で用いられる「Ｐｅｒｓｉｓｔｅｎｔ  ＵＬ  ＴＦＲテーブル」の一例を示す図である。
【図９】図９は、本発明の第１の実施形態に係る無線基地局のＴａｌｋ  Ｓｐｕｒｔ状態管理部で用いられる「Ｐｅｒｓｉｓｔｅｎｔ  ＵＬ  ＴＦＲテーブル（Ｉｎｉｔｉａｌ）」の一例を示す図である。
【図１０】図１０は、移動通信システムにおける無線リソースの割り当て方法の一例を示す図である。
【図１１】図１１は、本発明の第１の実施形態に係る無線基地局のＴａｌｋ  Ｓｐｕｒｔ状態管理部の動作について説明するための図である。
【図１２】図１２は、本発明の第１の実施形態に係る無線基地局のＴａｌｋ  Ｓｐｕｒｔ状態管理部の動作について説明するための図である。
【発明を実施するための形態】
【００５４】
（本発明の第１の実施形態に係る移動通信システム）
図１乃至図１２を参照して、本発明の第１の実施形態に係る移動通信システムについて説明する。なお、本実施形態では、ＬＴＥ方式の移動通信システムを例に挙げて説明するが、本発明は、他方式の移動通信システムにも適用可能である。
【００５５】
図１は、本発明の実施例に係る無線基地局（ｅＮＢ:  ｅＮｏｄｅ  Ｂ）２００を使用する移動通信システム１０００を示す。
【００５６】
かかる移動通信システム１０００は、例えば、「Ｅｖｏｌｖｅｄ  ＵＴＲＡ  ａｎｄ  ＵＴＲＡＮ（別名：ＬＴＥ、或いは、Ｓｕｐｅｒ  ３Ｇ）方式」が適用されるシステムである。
【００５７】
かかる移動通信システム１０００は、無線基地局２００と、複数の移動局（ＵＥ:Ｕｓｅｒ  Ｅｑｕｉｐｍｅｎｔ）１００１乃至１００ｎ（ｎは、ｎ＞０の整数）とを備える。
【００５８】
無線基地局２００は、上位局、例えば、アクセスゲートウェイ装置３００と接続されており、アクセスゲートウェイ装置３００は、コアネットワーク４００と接続されている。
【００５９】
アクセスゲートウェイ装置は、ＭＭＥ／ＳＧＷ(Ｍｏｂｉｌｉｔｙ  Ｍａｎａｇｅｍｅｎｔ  Ｅｎｔｉｔｙ／Ｓｅｒｖｉｎｇ  Ｇａｔｅｗａｙ)と呼ばれてもよい。
【００６０】
ここで、移動局１００ｎは、セル５０において無線基地局２００との間で、「Ｅｖｏｌｖｅｄ  ＵＴＲＡ  ａｎｄ  ＵＴＲＡＮ」方式により通信を行うように構成されている。
【００６１】
各移動局１００１乃至・１００ｎは、同一の構成や機能や状態を有するので、以下では、特段の断りがない限り、移動局１００ｎとして説明を進める。説明の便宜上、無線基地局２００との間で通信を行うのは移動局１００ｎであるが、より一般的には、移動局１００ｎには、移動端末も固定端末も含まれる。或いは、移動局ＵＥは、ユーザ装置と呼ばれてもよい。
【００６２】
移動通信システム１０００では、無線アクセス方式として、下りリンクについては「ＯＦＤＭA（直交周波数分割多元接続）」が、上りリンクについては「ＳＣ-ＦＤＭＡ（シングルキャリア-周波数分割多元接続）が適用される。
【００６３】
上述したように、ＯＦＤＭAは、周波数帯域を複数の狭い周波数帯域（サブキャリア）に分割し、各サブキャリアにデータをマッピングして通信を行うマルチキャリア伝送方式であり、ＳＣ-ＦＤＭＡは、周波数帯域を端末毎に分割し、複数の端末が互いに異なる周波数帯域を用いることで、端末間の干渉を低減するシングルキャリア伝送方式である。
【００６４】
＜通信チャネル＞
次に、かかる移動通信システム１０００で使用される各種の通信チャネルについて説明する。
【００６５】
下りリンクについては、各移動局１００ｎで共有される「物理下りリンク共有チャネル（ＰＤＳＣＨ）」と、「物理下りリンク制御チャネル（ＰＤＣＣＨ）」とが用いられる。ここで、「物理下りリンク制御チャネル（ＰＤＣＣＨ）」は、「下りＬ１/Ｌ２制御チャネル」とも呼ばれる。また、「物理下りリンク制御チャネル（ＰＤＣＣＨ）」にマッピングされる情報は、「下りリンク制御情報（ＤＣＩ）」と呼ばれてもよい。
【００６６】
「物理下りリンク共有チャネル（ＰＤＳＣＨ）」により、ユーザデータ、すなわち、通常のデータ信号が伝送される。
【００６７】
なお、「物理下りリンク共有チャネル（ＰＤＳＣＨ）」にマッピングされるトランスポートチャネルは、「ＤＬ-ＳＣＨ（Ｄｏｗｎｌｉｎｋ  Ｓｈａｒｅｄ  Ｃｈａｎｎｅｌ）」である。
【００６８】
また、「物理下りリンク制御チャネル（ＰＤＣＣＨ）」により、ダウンリンク/アップリンクスケジューリンググラントや送信電力制御コマンドビット等が伝送される。
【００６９】
「ダウンリンクスケジューリンググラント（ＤＬ  Ｓｃｈｅｄｕｌｉｎｇ  Ｇｒａｎｔ）」には、例えば、「物理下りリンク共有チャネル（ＰＤＳＣＨ）」を用いて通信を行うユーザのＩＤや、当該ユーザデータのトランスポートフォーマットの情報（すなわち、データサイズや変調方式やＨＡＲＱに関する情報）や、下りリンクのリソースブロックの割り当て情報等）が含まれる。
【００７０】
なお、ダウンリンクスケジューリンググラントは、下りリンクスケジューリング情報（Ｄｏｗｎｌｉｎｋ  Ｓｃｈｅｄｕｌｉｎｇ  Ｉｎｆｏｒｍａｔｉｏｎ）と呼ばれてもよい。
【００７１】
「アップリンクスケジューリンググラント（ＵＬ  Ｓｃｈｅｄｕｌｉｎｇ  Ｇｒａｎｔ）」にも、例えば、「物理上りリンク共有チャネル（ＰＵＳＣＨ）」を用いて通信を行うユーザのＩＤや、当該ユーザデータのトランスポートフォーマットの情報（すなわち、データサイズや変調方式に関する情報や上りリンクのリソースブロックの割り当て情報や上りリンクの共有チャネルの送信電力に関する情報等）が含まれる。
【００７２】
ここで、「上りリンクのリソースブロック」は、周波数リソースに相当し、「リソースユニット」とも呼ばれる。
【００７３】
「物理下りリンク制御チャネル（ＰＤＣＣＨ）」がマッピングされるＯＦＤＭシンボルは、「物理制御チャネルフォーマットインディケータチャネル（ＰＣＦＩＣＨ）」や「物理ＨＡＲＱインディケータチャネル（ＰＨＩＣＨ）」を含む。
【００７４】
すなわち、「物理下りリンク制御チャネル（ＰＤＣＣＨ）」、「物理制御チャネルフォーマットインディケータチャネル（ＰＣＦＩＣＨ）」及び「物理ＨＡＲＱインディケータチャネル（ＰＨＩＣＨ）」は、所定数個以下のＯＦＤＭシンボルに多重されて送信される。
【００７５】
「物理制御チャネルフォーマットインディケータチャネル（ＰＣＦＩＣＨ）」は、「物理下りリンク制御チャネル（ＰＤＣＣＨ）」がマッピングされるＯＦＤＭシンボル数を、移動局ＵＥに対して通知するためのチャネルである。
【００７６】
「物理ＨＡＲＱインディケータチャネル（ＰＨＩＣＨ）」は、「物理上りリンク共有チャネル（ＰＵＳＣＨ）」に対する送達確認情報を伝送するためのチャネルである。
【００７７】
かかる送達確認情報は、肯定応答である「ＡＣＫ」又は否定応答である「ＮＡＣＫ」により表現される。
【００７８】
なお、上述した例においては、「物理制御チャネルフォーマットインディケータチャネル（ＰＣＦＩＣＨ）」や「物理ＨＡＲＱインディケータチャネル（ＰＨＩＣＨ）」は、「物理下りリンク制御チャネル（ＰＤＣＣＨ）」と並列的な関係にあるチャネルとして定義されている。
【００７９】
しかしながら、「物理制御チャネルフォーマットインディケータチャネル（ＰＣＦＩＣＨ）」や「物理ＨＡＲＱインディケータチャネル（ＰＨＩＣＨ）」は、が、「物理下りリンク制御チャネル（ＰＤＣＣＨ）」に含まれる情報要素として定義されてもよい。
【００８０】
また、下りリンクにおいては、移動局ＵＥ間で共通に使用されるパイロット信号として、「下りリンクリファレンス信号（ＤＬ  ＲＳ：Ｄｏｗｎｌｉｎｋ  Ｒｅｆｅｒｅｎｃｅ  Ｓｉｇｎａｌ）」が送信される。
【００８１】
かかる「下りリンクリファレンス信号」は、上述した「物理下り共有チャネル（ＰＤＳＣ）」や「物理下りリンク制御チャネル（ＰＤＣＣＨ）」や「物理制御チャネルフォーマットインディケータチャネル（ＰＣＦＩＣＨ）」や「物理ＨＡＲＱインディケータチャネル（ＰＨＩＣＨ）」の復号のためのチャネル推定や、下りリンクの無線品質情報であるＣＱＩの算出に用いられる。
【００８２】
上りリンクについては、各移動局１００ｎで共有して使用される「物理上りリンク共有チャネル（ＰＵＳＣＨ）」と、ＬＴＥ方式用の上りリンク制御チャネルとが用いられる。
【００８３】
ＬＴＥ方式用の上りリンク制御チャネルには、「物理上りリンク共有チャネル（ＰＵＳＣＨ）」の一部として送信されるチャネルと、周波数多重されるチャネルの２種類がある。
【００８４】
周波数多重されるチャネルは、「物理上りリンク制御チャネル（ＰＵＣＣＨ:Ｐｈｙｓｉｃａｌ  Ｕｐｌｉｎｋ  Ｃｏｎｔｒｏｌ  Ｃｈａｎｎｅｌ）」と呼ばれる。
【００８５】
「物理上りリンク共有チャネル（ＰＵＳＣＨ）」により、ユーザデータ、すなわち、通常のデータ信号が伝送される。
【００８６】
「物理上りリンク共有チャネル（ＰＵＳＣＨ）」にマッピングされるトランスポートチャネルは、「ＵＬ-ＳＣＨ（Ｕｐｌｉｎｋ  Ｓｈａｒｅｄ  Ｃｈａｎｎｅｌ）」である。
【００８７】
また、ＬＴＥ方式用の上りリンク制御チャネルにより、「物理下りリンク共有チャネル（ＰＤＳＣＨ）」のスケジューリング処理や適応変調及び符号化処理（ＡＭＣＳ：Ａｄａｐｔｉｖｅ  Ｍｏｄｕｌａｔｉｏｎ  ａｎｄ  Ｃｏｄｉｎｇ  Ｓｃｈｅｍｅ）に用いるための下りリンクの品質情報（ＣＱＩ:Ｃｈａｎｎｅｌ  Ｑｕａｌｉｔｙ  Ｉｎｄｉｃａｔｏｒ）及び「物理下りリンク共有チャネル（ＰＤＳＣＨ）」の送達確認情報が伝送される。
【００８８】
かかる下りリンクの品質情報は、「ＣＱＩ」や「ＰＭＩ（Ｐｒｅ-ｃｏｄｉｎｇ  Ｍａｔｒｉｘ  Ｉｎｄｉｃａｔｏｒ）」や「ＲＩ（Ｒａｎｋ  Ｉｎｄｉｃａｔｏｒ）」をまとめたインディケータである「ＣＳＩ（Ｃｈａｎｎｅｌ  Ｓｔａｔｅ  Ｉｎｄｉｃａｔｏｒ）」と呼ばれてもよい。
【００８９】
また、かかる送達確認情報の内容は、肯定応答（ＡＣＫ）又は否定応答（ＮＡＣＫ）の何れかで表現される。
【００９０】
＜本発明の第１の実施形態に係る無線基地局２００＞
また、本実施形態に係る無線基地局２００は、移動局１００から、上り無線リソース割当開始時点を起点として所定周期で固定的に割り当てられている上り無線リソース（ＰＵＳＣＨ）を用いて、上りデータを受信するように構成されている。
【００９１】
図２に示すように、本実施形態に係る無線基地局２００は、ＲＢ使用量算出処理部１１と、ＤＲＸ  ＯＮ区間設定処理部１２と、Ｔａｌｋ  Ｓｐｕｒｔ状態管理部１３と、ＰＵＳＣＨ受信処理部１４と、送達確認情報送信処理部１５と、状態不一致検出処理部１６と、ＰＤＣＣＨ送信処理部１７とを具備している。
【００９２】
ＲＢ使用量算出処理部１１は、後述するように、Ｐｅｒｓｉｓｔｅｎｔスケジューリングの送信周期（所定周期）内の各サブフレーム（タイムフレーム）に関して、リソース使用量を算出するように構成されている。
【００９３】
ここで、「リソース」とは、周波数リソースのことであり、「リソース使用量」とは、より具体的には、リソースブロックの量又は数である。
【００９４】
また、ＬＴＥ方式では、１リソースブロックは「１８０ｋＨｚ」であり、１サブフレームは「１ｍｓ」である。
【００９５】
したがって、上述の送信周期（所定周期）を「２０ｍｓ」とすると、ＲＢ使用量算出処理部１１は、２０サブフレーム内の各サブフレームに関して、リソース使用量を算出する。
【００９６】
ＤＲＸ  ＯＮ区間設定処理部１２は、後述するように、セル５０内の各移動局１００ｎの間欠受信における受信区間（ＤＲＸ状態のＯＮ区間）を設定するように構成されている。
【００９７】
具体的には、ＤＲＸ  ＯＮ区間設定処理部１２は、ＲＢ使用量算出処理部１１によって算出されたリソース使用量に基づいて、ＤＲＸ  ＯＮ区間を設定するように構成されている。
【００９８】
Ｔａｌｋ  Ｓｐｕｒｔ状態管理部１３は、後述するように、セル内の各移動局のＴａｌｋ  Ｓｐｕｒｔ状態、すなわち、Ｐｅｒｓｉｓｔｅｎｔスケジューリングによるリソース割り当てを行うか否かについての管理を行うように構成されている。
【００９９】
なお、「Ｐｅｒｓｉｓｔｅｎｔスケジューリングによるリソース割り当て」とは、上り無線リソース割当開始時点を起点として所定周期で固定的に割り当てられている「物理上り共有チャネル（ＰＵＳＣＨ）」、すなわち、上り無線リソースを用いて、上りデータを受信することに対応する。
【０１００】
なお、Ｔａｌｋ  Ｓｐｕｒｔ状態管理部１３は、上述した上りリンクの「Ｐｅｒｓｉｓｔｅｎｔスケジューリングによるリソース割り当て」に加えて、下りリンクの「Ｐｅｒｓｉｓｔｅｎｔスケジューリングによるリソース割り当て」を行ってもよい。
【０１０１】
また、下りリンクのＰｅｒｓｉｓｔｅｎｔスケジューリングによるリソースの割り当てにおいては、上りリンクの場合と同様に、下り無線リソース割当開始時点が決定され、前記下り無線リソース割当開始時点と、前記下り無線リソース割当開始時点を起点とした下りリンク無線リソースとが、固定的割当信号により、移動局ＵＥに通知される。また、無線基地局は、前記下り無線リソースを介して、前記移動局ＵＥに対して下りリンクのデータ信号（ＤＬ-ＳＣＨ）を送信するように構成されている。
【０１０２】
この場合、例えば、後述するＰＵＳＣＨ受信処理部１４が、上述した下りリンクに関する送信処理を行うように構成されていてもよい。
【０１０３】
ＰＵＳＣＨ受信処理部１４は、後述するように、Ｔａｌｋ  Ｓｐｕｒｔ状態が「ＯＮ」である移動局１００ｎから、上り無線リソース割当開始時点を起点として所定周期で固定的に割り当てられている「物理上り共有チャネル（ＰＵＳＣＨ）」、すなわち、上り無線リソースを用いて、上りデータを受信するように構成されている。
【０１０４】
送達確認情報送信処理部１５は、後述するように、「物理上り共有チャネル（ＰＵＳＣＨ）」、すなわち、上り無線リソースに対する送達確認情報を送信するように構成されている。
【０１０５】
状態不一致検出処理部１６は、後述するように、無線基地局ｅＮＢと移動局ＵＥとの間の状態の不一致を検出する。
【０１０６】
ここで、「状態の不一致」とは、例えば、無線基地局ｅＮＢが、移動局ＵＥに対して、Ｐｅｒｓｉｓｔｅｎｔスケジューリングによる上り無線リソースの割り当てを行ったにも係らず、移動局ＵＥは、かかる上り無線リソースの割り当てが行われたと認識していない状態のことを指す。
【０１０７】
ＰＤＣＣＨ送信処理部１７は、後述するように、移動局ＵＥに対して「Ｕｐｌｉｎｋ  Ｓｃｈｅｄｕｌｉｎｇ  Ｇｒａｎｔ」により「Ｐｅｒｓｉｓｔｅｎｔスケジューリング」のための初回送信のリソースを通知すると決定された場合、当該移動局ＵＥに対して、かかるＵｐｌｉｎｋ  Ｓｃｈｅｄｕｌｉｎｇ  ＧｒａｎｔがマッピングされたＰＤＣＣＨ、すなわち、固定的割当信号を送信するように構成されている。
【０１０８】
なお、かかる固定的割当信号、すなわち、Ｐｅｒｓｉｓｔｅｎｔスケジューリングのための初回送信のリソースを通知するＰＤＣＣＨは、ＳＰＳ-ＲＮＴＩによりＣＲＣがマスキングされたＰＤＣＣＨと呼ばれてもよい。ここで、ＳＰＳは、Ｓｅｍｉ-Ｐｅｒｓｉｓｔｅｎｔ  Ｓｃｈｅｄｕｌｉｎｇの略である。
【０１０９】
図３を参照して、ＲＢ使用量算出処理部１１によって行われるリソースブロック使用量の算出処理について詳細に説明する。
【０１１０】
図３に示すように、所定周期内のサブフレームを「Ｐｅｒｓｉｓｔｅｎｔ  Ｓｕｂ-ｆｒａｍｅ」と定義し、ＲＢ使用量算出処理部１１は、各「Ｐｅｒｓｉｓｔｅｎｔ  Ｓｕｂ-ｆｒａｍｅ」に関して、リソース使用量（以下、ＵＬ_Ｒｅｓｏｕｒｃｅ（ｍ）と記載）の算出を行うように構成されている。
【０１１１】
ここで、「ｍ」は、「Ｐｅｒｓｉｓｔｅｎｔ  Ｓｕｂ-ｆｒａｍｅ」のインデックスを示し、「Ｍ」は、「Ｐｅｒｓｉｓｔｅｎｔ  Ｓｕｂ-ｆｒａｍｅ」の総数（所定周期）を示す。
【０１１２】
「Ｐｅｒｓｉｓｔｅｎｔ  Ｓｕｂ-ｆｒａｍｅ」毎のリソース使用量ＵＬ_Ｒｅｓｏｕｒｃｅ（ｍ）は、「Ｐｅｒｓｉｓｔｅｎｔ  Ｓｕｂ-ｆｒａｍｅ  ＃ｍ」において、「ＰＲＡＣＨ（ランダムアクセスチャネル）」や、「ＲＡＣＨ  Ｍｅｓｓａｇｅ  ３（ランダムアクセスチャネル用メッセージ）」や、Ｐｅｒｓｉｓｔｅｎｔスケジューリングが適用される「ＵＬ-ＳＣＨ」に割り当てられるリソースブロック（Ｒｅｓｏｕｒｃｅ  Ｂｌｏｃｋ（ＲＢ））の数、及び、Ｇｕａｒｄ  ＲＢ（保護用リソースブロック）の数に相当する。
【０１１３】
なお、「Ｐｅｒｓｉｓｔｅｎｔ  Ｓｕｂ-ｆｒａｍｅ」毎のリソース使用量ＵＬ＿Ｒｅｓｏｕｒｃｅ（ｍ）は、後述するＴａｌｋ  Ｓｐｕｒｔ状態管理部１２の処理に用いられる。
【０１１４】
図４を参照して、「Ｐｅｒｓｉｓｔｅｎｔ  Ｓｕｂ-ｆｒａｍｅ」毎のリソース使用量の算出処理について説明する。
【０１１５】
図４に示す「ｍ＝１、２、…、Ｍ」のループにおいて、「Ｍ」は、「Ｐｅｒｓｉｓｔｅｎｔ  Ｓｕｂ-ｆｒａｍｅ」の総数である。
【０１１６】
ステップＳ４０１、Ｓ４０９、Ｓ４１０により構成されるループにより、リソース使用量の測定が、「Ｐｅｒｓｉｓｔｅｎｔ  Ｓｕｂ-ｆｒａｍｅ」毎に行われる。
【０１１７】
まず、ステップＳ４０２において、以下の式により、「Ｐｅｒｓｉｓｔｅｎｔ  Ｓｕｂ-ｆｒａｍｅ  ＃ｍ」における「ＵＬ_Ｒｅｓｏｕｒｃｅ（ｍ）」の値が初期化される。
【０１１８】
ＵＬ_＿Ｒｅｓｏｕｒｃｅ（ｍ）＝０
次に、ステップＳ４０３において、以下の式により、「ＵＬ_Ｒｅｓｏｕｒｃｅ（ｍ）」の値に、「ＲＢＰＲＡＣＨ」の値の２倍が加算される。
【０１１９】
ＵＬ_Ｒｅｓｏｕｒｃｅ（ｍ）＋＝２×ＲＢＰＲＡＣＨ
なお、「ＲＢＰＲＡＣＨ」は、「Ｐｅｒｓｉｓｔｅｎｔ  Ｓｕｂ-ｆｒａｍｅ  ＃ｍ」において、「ＰＲＡＣＨ（Ｐｈｙｓｉｃａｌ  Ｒａｎｄｏｍ  Ａｃｃｅｓｓ  Ｃｈａｎｎｅｌ）」が送信されるか否かに基づいて、以下のように計算される。
【０１２０】
「Ｐｅｒｓｉｓｔｅｎｔ  Ｓｕｂ-ｆｒａｍｅ  ＃ｍ」において、「ＰＲＡＣＨ」が送信される場合、「ＲＢＰＲＡＣＨ＝６」とする。上記以外の場合、「ＲＢＰＲＡＣＨ＝０」とする。
【０１２１】
なお、上述した計算においては、ＵＬ_Ｒｅｓｏｕｒｃｅ（ｍ）＋＝２×ＲＢＰＲＡＣＨという計算を行ったが、代わりに、ＵＬ_Ｒｅｓｏｕｒｃｅ（ｍ）＋＝ＲＢＰＲＡＣＨという計算を行ってもよい。
【０１２２】
以上のステップＳ４０３の処理により、「Ｐｅｒｓｉｓｔｅｎｔ  Ｓｕｂ-ｆｒａｍｅ  ＃ｍ」において、「ＰＲＡＣＨ」が送信される場合に、「ＰＲＡＣＨ」に割り当てられるリソースブロックの数がリソース使用量ＵＬ_Ｒｅｓｏｕｒｃｅ（ｍ）としてカウントされる。
【０１２３】
次に、ステップＳ４０４において、以下の式により、「ＵＬ_Ｒｅｓｏｕｒｃｅ（ｍ）」の値に、「ＲＢＧｕａｒｄＲＢ」の値が加算される。
【０１２４】
ＵＬ_Ｒｅｓｏｕｒｃｅ（ｍ）＋＝ＲＢＧｕａｒｄＲＢ
なお、「ＲＢＧｕａｒｄＲＢ」は、「Ｐｅｒｓｉｓｔｅｎｔ  Ｓｕｂ-ｆｒａｍｅ  ＃ｍ」において割り当てられている「Ｇｕａｒｄ  ＲＢ（保護用リソースブロック）」の数である。
【０１２５】
すなわち、「Ｐｅｒｓｉｓｔｅｎｔ  Ｓｕｂ-ｆｒａｍｅ  ＃ｍ」において割り当てられている「Ｇｕａｒｄ  ＲＢ」の数がカウントされる。
【０１２６】
以上のステップＳ４０４の処理により、「Ｐｅｒｓｉｓｔｅｎｔ  Ｓｕｂ-ｆｒａｍｅ  ＃ｍ」において割り当てられている「Ｇｕａｒｄ  ＲＢ」の数が、リソース使用量ＵＬ_Ｒｅｓｏｕｒｃｅ（ｍ）としてカウントされる。
【０１２７】
上述した処理では、Ｇｕａｒｄ  ＲＢの数がリソース使用量ＵＬ＿Ｒｅｓｏｕｒｃｅ（ｍ）としてカウントされたが、代わりに、ＰＵＣＣＨに割り当てられるリソースブロック数が、リソース使用量ＵＬ＿Ｒｅｓｏｕｒｃｅ（ｍ）としてカウントされてもよい。
【０１２８】
ステップＳ４０５において、以下の式により、「ＵＬ_Ｒｅｓｏｕｒｃｅ（ｍ）」の値に、「ＲＢＲＡＣＨＭ３」が加算される。
【０１２９】
ＵＬ_Ｒｅｓｏｕｒｃｅ（ｍ）＋＝ＲＢＲＡＣＨＭ３
「ＲＢＲＡＣＨＭ３」は、過去に「Ｐｅｒｓｉｓｔｅｎｔ  Ｓｕｂ-ｆｒａｍｅ  ＃ｍ」において送信された「ＲＡＣＨ  Ｍｅｓｓａｇｅ  ３（ランダムアクセスチャネル用メッセージ）」のリソースブロック数（ＲＢ数）の時間平均値（ＲＢＲＡＣＨＭ３，ａｖｅｒａｇｅ）に基づいて、以下のように計算される。
【０１３０】
ＲＢＲＡＣＨＭ３＝ＲＢＲＡＣＨＭ３，ａｖｅｒａｇｅ×ｗｅｉｇｈｔＲＡＣＨＭ３
なお、重み付け係数「ｗｅｉｇｈｔＲＡＣＨＭ３」は、「ＲＡＣＨ  Ｍｅｓｓａｇｅ  ３」のためのリソースを、どの程度まで確保するかを調節するための係数であり、例えば、「ＲＡＣＨ  Ｍｅｓｓａｇｅ  ３」のためのリソースの変動量が大きく、「ＲＡＣＨ  Ｍｅｓｓａｇｅ  ３」のためのリソースを余分に確保する必要がある場合には、「ｗｅｉｇｈｔＲＡＣＨＭ３＝２」と設定されてもよい。
【０１３１】
或いは、重み付け係数「ｗｅｉｇｈｔＲＡＣＨＭ３」は、「ＲＡＣＨ  Ｍｅｓｓａｇｅ  ３」のためのリソースの変動量が小さく、「ＲＡＣＨ  Ｍｅｓｓａｇｅ  ３」のためのリソースを余分に確保する必要がない場合には、「ｗｅｉｇｈｔＲＡＣＨＭ３＝１」と設定されてもよい。
【０１３２】
以上のステップＳ４０５の処理により、「Ｐｅｒｓｉｓｔｅｎｔ  Ｓｕｂ-ｆｒａｍｅ  ＃ｍ」において、平均的に「ＲＡＣＨ  Ｍｅｓｓａｇｅ  ３」に割り当てられるリソースブロックの数が、リソース使用量ＵＬ_Ｒｅｓｏｕｒｃｅ（ｍ）としてカウントされる。
【０１３３】
次に、ステップＳ４０６において、以下の式により、「ＵＬ_Ｒｅｓｏｕｒｃｅ（ｍ）」の値に、「ＲＢＰｅｒｓｉｓｔｅｎｔＵＬ」が加算される。
【０１３４】
ＵＬ_Ｒｅｓｏｕｒｃｅ（ｍ）＋＝ＲＢPersistentＵＬ
「ＲＢPersistent,ＵＬ」は、過去に「Ｐｅｒｓｉｓｔｅｎｔ  Ｓｕｂ-ｆｒａｍｅ  ＃ｍ」において送信された、Ｐｅｒｓｉｓｔｅｎｔスケジューリングによりリソースが割り当てられた上りデータ（新規送信及び再送の両方を含む）のリソースブロック数（ＲＢ数）の時間平均値（ＲＢＰｅｒｓｉｓｔｅｎｔ, average, ＵＬ）に基づいて、以下のように計算される。
【０１３５】
ＲＢPersistent,ＵL＝ＲＢPersistent, average,ＵL×ｗｅｉｇｈｔPersistent,ＵL
なお、実際には、「Ｄｙｎａｍｉｃスケジューリング」によりリソースの割り当てが行われた上りデータに関しても、「Ｐｅｒｓｉｓｔｅｎｔスケジューリング」によるリソースの割り当てが行われる予定の上りデータが含まれる場合には、そのリソースブロック数を「Ｐｅｒｓｉｓｔｅｎｔスケジューリングによりリソースが割り当てられた上りデータ（新規送信及び再送の両方を含む）のリソースブロック数（ＲＢ数）」として計算を行ってもよい。
【０１３６】
「Ｐｅｒｓｉｓｔｅｎｔ  Ｓｕｂ-ｆｒａｍｅ  ＃ｍ」において、複数の移動局ＵＥに対して、「Ｐｅｒｓｉｓｔｅｎｔスケジューリング」によりリソースが割り当てられた上りデータが送信される場合には、前記複数の移動局の、「Ｐｅｒｓｉｓｔｅｎｔスケジューリング」によりリソースが割り当てられた上りデータのＲＢ数の合計値を「Ｐｅｒｓｉｓｔｅｎｔスケジューリングによりリソースが割り当てられた上りデータ（新規送信及び再送の両方を含む）のリソースブロック数（ＲＢ数）」とする。
【０１３７】
すなわち、「Ｐｅｒｓｉｓｔｅｎｔ  Ｓｕｂ-ｆｒａｍｅ  ＃ｍ」において、Ｐｅｒｓｉｓｔｅｎｔスケジューリングによるリソース割当が行われる全ての移動局ＵＥに関する、リソース使用量、すなわち、リソースブロック数が算出される。
【０１３８】
なお、重み付け係数「ｗｅｉｇｈｔPersistent,ＵＬ」は、「Ｐｅｒｓｉｓｔｅｎｔスケジューリング」によりリソースが割り当てられた上りデータのリソースを、どの程度まで確保するかを調節するための係数である。
【０１３９】
例えば、重み付け係数「ｗｅｉｇｈｔPersistent, ＵＬ」は、「Ｐｅｒｓｉｓｔｅｎｔスケジューリング」によりリソースが割り当てられた上りデータのリソースのための変動量が大きく、「Ｐｅｒｓｉｓｔｅｎｔスケジューリング」によりリソースが割り当てられた上りデータのリソースを余分に確保する必要がある場合には、「ｗｅｉｇｈｔPersistent,ＵＬ＝２」と設定されてもよい。
【０１４０】
或いは、重み付け係数「ｗｅｉｇｈｔPersistent,ＵＬ」は、「Ｐｅｒｓｉｓｔｅｎｔスケジューリング」によりリソースが割り当てられた上りデータのためのリソースの変動量が小さく、「Ｐｅｒｓｉｓｔｅｎｔスケジューリング」によりリソースが割り当てられた上りデータのためのリソースを余分に確保する必要がない場合には、「ｗｅｉｇｈｔPersistent,ＵＬ＝１」と設定されてもよい。
【０１４１】
以上のステップＳ４０６の処理により、「Ｐｅｒｓｉｓｔｅｎｔ  Ｓｕｂ-ｆｒａｍｅ  ＃ｍ」における「Ｐｅｒｓｉｓｔｅｎｔスケジューリング」によりリソースが割り当てられた上りデータに割り当てられるリソースブロックの数が、リソース使用量ＵＬ_Ｒｅｓｏｕｒｃｅ（ｍ）としてカウントされる。
【０１４２】
以上のステップＳ４０１〜Ｓ４０８の処理により、所定周期内の各サブフレームに関するリソース使用量が算出される。
【０１４３】
図５を参照して、ＤＲＸ  ＯＮ区間設定処理部１２によって行われるＤＲＸ  ＯＮ区間設定処理について詳細に説明する。
【０１４４】
一般に、移動通信システムにおいては、移動局ＵＥのバッテリーセービングを目的として、「ＤＲＸ制御（間欠受信制御）」が行われる。
【０１４５】
ＤＲＸ制御とは、通信すべきデータ量が存在しない場合、或いは、通信すべきデータ量が「Ｐｅｒｓｉｓｔｅｎｔスケジューリング」により割り当てられるリソースのみにより送信可能なデータ量である場合に、無線基地局ｅＮＢからの信号を受信する区間（ＯＮ区間、間欠受信における受信区間）と、無線基地局ｅＮＢからの信号を受信しない区間（ＯＦＦ区間、間欠受信における非受信区間）とに分けて、無線基地局ｅＮＢと移動局ＵＥ間の通信が行われるという制御である。
【０１４６】
この場合、移動局ＵＥは、ＯＦＦ区間において、上りリンクの信号の送信及び下りリンクの信号の受信を行わずに済むため、結果として、消費電力を低減することが可能となる。
【０１４７】
ＤＲＸ  ＯＮ区間設定処理部１２は、ＲＢ使用量算出処理部１１によって算出されたリソース使用量（ＲＢ使用量）に基づいて、移動局ＵＥのＤＲＸのＯＮ区間を設定してもよい。
【０１４８】
例えば、ＤＲＸ  ＯＮ区間設定処理部１２は、ＯＮ区間内に含まれる「Ｐｅｒｓｉｓｔｅｎｔ  Ｓｕｂ-ｆｒａｍｅ」のリソース使用量が最も小さくなるように、ＤＲＸのＯＮ区間を設定してもよい。
【０１４９】
より具体的には、例えば、図５に示すように、所定周期が「２０ｍｓ」であり、「Ｐｅｒｓｉｓｔｅｎｔ  Ｓｕｂ-ｆｒａｍｅ  ＃０〜＃１９」が定義され、かつ、リソース使用量が、それぞれ、「２、３、…、２、５」である場合を想定する。
【０１５０】
ここで、ＯＮ区間の長さが「２ｍｓ（２サブフレーム）」である場合、ＯＮ区間内に含まれる「Ｐｅｒｓｉｓｔｅｎｔ  Ｓｕｂ-ｆｒａｍｅ」のリソース使用量（ＲＢ使用量）が最も小さくなるようなＯＮ区間は、「Ｐｅｒｓｉｓｔｅｎｔ  Ｓｕｂ-ｆｒａｍｅ  ＃０、＃１」となる。
【０１５１】
よって、ＤＲＸ  ＯＮ区間設定処理部１２は、移動局ＵＥのＤＲＸのＯＮ区間として、「Ｐｅｒｓｉｓｔｅｎｔ  Ｓｕｂ-ｆｒａｍｅ  ＃０、＃１」を設定する。
【０１５２】
なお、ある移動局ＵＥに対してＤＲＸのＯＮ区間として設定された「Ｐｅｒｓｉｓｔｅｎｔ  Ｓｕｂ-ｆｒａｍｅ」は、後述するように、当該移動局ＵＥにより、「Ｐｅｒｓｉｔｅｎｔスケジューリング」により割り当てられた上り無線リソースによる上りデータの送信が行われるため、結果として、リソース使用量が増大する。
【０１５３】
よって、上述したＯＮ区間内に含まれる「Ｐｅｒｓｉｓｔｅｎｔ  Ｓｕｂ-ｆｒａｍｅ」のリソース使用量が最も小さくなるように、ＤＲＸのＯＮ区間を設定するという処理を、セル内の移動局ＵＥに対して順次行った場合、結果として、各「Ｐｅｒｓｉｓｔｅｎｔ  Ｓｕｂ-ｆｒａｍｅ」のリソース使用量が均等になるように、ＤＲＸのＯＮ区間を設定することになる。
【０１５４】
なお、各「Ｐｅｒｓｉｓｔｅｎｔ  Ｓｕｂ-ｆｒａｍｅのリソース使用量が均等になる」とは、より整然とリソースが割り当てられていることを示し、結果として、効率良くリソースの割り当てが行われていることを意味する。
【０１５５】
なお、上述した例において、ＤＲＸ  ＯＮ区間設定処理部１２は、ＯＮ区間内に含まれる「Ｐｅｒｓｉｓｔｅｎｔ  Ｓｕｂ-ｆｒａｍｅ」のリソース使用量が最も小さくなるように、ＤＲＸのＯＮ区間を設定しているが、代わりに、セル内の移動局ＵＥ間でＯＮ区間の位置がランダムになるようにＤＲＸのＯＮ区間を設定してもよい。
【０１５６】
図６を参照して、Ｔａｌｋ  Ｓｐｕｒｔ状態管理部１３によって行われるＴａｌｋ  Ｓｐｕｒｔ状態管理について詳細に説明する。
【０１５７】
本処理において、Ｔａｌｋ  Ｓｐｕｒｔ状態管理部１３は、「Ｐｅｒｓｉｓｔｅｎｔスケジューリング」によるリソースの割り当てが行われる移動局ＵＥの上りリンクのＴａｌｋ  Ｓｐｕｒｔ状態を管理する。
【０１５８】
以下の処理は、当該サブフレームがＤＲＸのＯＮ区間内の先頭のサブフレームである移動局ＵＥ（ＤＲＸ状態にある移動局ＵＥ及びＮＯＮ-ＤＲＸ状態にある移動局ＵＥの両方を含む）に対して適用される。
【０１５９】
なお、「ｎ」は、「当該サブフレームがＤＲＸのＯＮ区間内の先頭のサブフレームである移動局ＵＥ」のインデックスを示し、「Ｎ」は、「当該サブフレームがＤＲＸのＯＮ区間内の先頭のサブフレームである移動局ＵＥ」の総数を示す。
【０１６０】
なお、当該セルにおいてＤＲＸ制御を行わない場合には、所定周期に１回の割合で、セル内の「Ｐｅｒｓｉｓｔｅｎｔスケジューリング」によるリソース割り当てが行われる全ての移動局ＵＥに対して、後述する処理が行われてもよい。
【０１６１】
以下の処理においては，以下の変数を定義する。
【０１６２】
ＵＬ_１ｓｔ_ＴＸ_ＴＦ
Ｔｅｍｐｏｒａｒｙ_ＵＬ_１ｓｔ_ＴＸ_ＴＦ
ＯＬＤ_ＵＬ_１ｓｔ_ＴＸ_ＴＦ
ＵＬ_１ｓｔ_ＴＸ_Ｐｅｒｓｉｓｔｅｎｔ_Ｓｕｂｆｒａｍｅ
ＯＬＤ_ＵＬ_１ｓｔ_ＴＸ_Ｐｅｒｓｉｓｔｅｎｔ_Ｓｕｂｆｒａｍｅ
Ｃａｎｄｉｄａｔｅ_Ｓｕｂｆｒａｍｅ
ＵＬ_１ｓｔ_ＴＸ_Ｐｅｒｓｉｓｔｅｎｔ_ＲＢ
ＯＬＤ_ＵＬ_１ｓｔ_ＴＸ_Ｐｅｒｓｉｓｔｅｎｔ_ＲＢ
Ｃａｎｄｉｄａｔｅ_ＲＢ
図６に示すように、ステップＳ６０１、Ｓ６１６、Ｓ６１７により構成されるループにより、当該サブフレームがＤＲＸのＯＮ区間内の先頭のサブフレームである移動局ＵＥ（ＤＲＸ状態にある移動局ＵＥ及びＮＯＮ-ＤＲＸ状態にある移動局ＵＥの両方を含む）に対して、当該処理が適用される。
【０１６３】
ステップＳ６０２において、移動局ＵＥ＃ｎに対して、「Ｐｅｒｓｉｓｔｅｎｔスケジューリング」によりリソース割り当てが行われるか否かについて判定する。
【０１６４】
ここで、「Ｐｅｒｓｉｓｔｅｎｔスケジューリング」によりリソース割り当てが行われるか否かについて、「Ｐｅｒｓｉｓｔｅｎｔスケジューリング」によりリソース割り当てが行われると定義された論理チャネルが設定されているか否かに基づいて判定されてもよい。
【０１６５】
すなわち、当該移動局ＵＥに対して、「Ｆｌａｇｐｅｒｓｉｓｔｅｎｔ」である論理チャネルが設定されているか否かについて判定する。
【０１６６】
「Ｆｌａｇｐｅｒｓｉｓｔｅｎｔ＝１」である論理チャネルが設定されている場合にＯＫを返し、それ以外の場合に、ＮＧを返す。
【０１６７】
なお、「Ｆｌａｇｐｅｒｓｉｓｔｅｎｔ＝１」は、「Ｐｅｒｓｉｓｔｅｎｔスケジューリング」によるリソース割り当てが行われる論理チャネルが設定されていることを示し、「Ｆｌａｇｐｅｒｓｉｓｔｅｎｔ＝０」は、「Ｐｅｒｓｉｓｔｅｎｔスケジューリング」によるリソース割り当てが行われる論理チャネルが設定されていないことを示す。
【０１６８】
ステップＳ６０２の結果がＯＫの場合は、ステップＳ６０３の処理に進み、ステップＳ６０２の結果がＮＧの場合は、ステップＳ６１６の処理に進む。
【０１６９】
ステップＳ６０３において、以下の式に基づいて、当該移動局ＵＥから報告される「ＵＥ  Ｐｏｗｅｒ  Ｈｅａｄｒｏｏｍ」によって、無線伝送路における伝搬損失を示す「Ｐａｔｈｌｏｓｓ」を算出する。
【数１】
2009133954.tif 000003
【０１７０】
なお、かかる式における各パラメータは、３ＧＰＰ規格３６.２１３、ｖ８.１.０、Ｓｅｃｔｉｏｎ５.１.１に定義されているものが用いられる。
【０１７１】
ステップＳ６０３の処理の後、ステップＳ６０３Ａの処理に進む。
【０１７２】
ステップＳ６０３Ａ（Ｔａｌｋ  Ｓｐｕｒｔ  Ｓｔａｔｕｓ  Ｃｈｅｃｋ）において、当該移動局ＵＥの状態が、「ＵＬ  Ｔａｌｋ  Ｓｐｕｒｔ状態＝ＯＮ」であるか、或いは、「ＵＬ  Ｔａｌｋ  Ｓｐｕｒｔ状態＝ＯＦＦ」であるかについて判定する。
【０１７３】
なお、当該移動局ＵＥの「ＵＬ  Ｔａｌｋ  Ｓｐｕｒｔ状態」が、どのような状態にも設定されていない場合は、「ＯＦＦ」と看做す。
【０１７４】
「Ｔａｌｋ  Ｓｐｕｒｔ  Ｓｔａｔｕｓ  Ｃｈｅｃｋ」の結果が「ＯＦＦ」の場合は、ステップＳ６０４の処理に進み、「Ｔａｌｋ  Ｓｐｕｒｔ  Ｓｔａｔｕｓ  Ｃｈｅｃｋ」の結果が「ＯＮ」の場合は、ステップＳ６０６の「Ｂｕｆｆｅｒ  Ｄａｔａ  Ｃｈｅｃｋ２」の処理に進む。
【０１７５】
ここで、「ＵＬ  Ｔａｌｋ  Ｓｐｕｒｔ状態＝ＯＮ」であるとは、「Ｐｅｒｓｉｓｔｅｎｔスケジューリング」による上り無線リソースが割り当てられている状態のことを指す。
【０１７６】
すなわち、当該移動局ＵＥにより、上り無線リソース割当開始時点を起点として所定周期で固定的に割り当てられている上り無線リソースを用いて、上りデータの送信が行われている状態のことを指す。
【０１７７】
なお、「ＵＬ  Ｔａｌｋ  Ｓｐｕｒｔ状態＝ＯＦＦ」であるとは、「Ｐｅｒｓｉｓｔｅｎｔスケジューリング」による上り無線リソースが割り当てられていない状態のことを指す。
【０１７８】
ステップＳ６０４（Ｂｕｆｆｅｒ  Ｄａｔａ  Ｃｈｅｃｋ１）において、無線基地局ｅＮＢは、当該移動局ＵＥから送信されたＰｅｒｓｉｓｔｅｎｔ  Ｓｃｈｅｄｕｌｉｎｇが適用されるＬｏｇｉｃａｌ  Ｃｈａｎｎｅｌを介して受信したＲＬＣ  ＳＤＵのサイズ、若しくは、当該移動局ＵＥが有する「Ｐｅｒｓｉｓｔｅｎｔスケジューリング」が適用される論理チャネルグループ＃ｋが割り当てられている移動局ＵＥ＃ｎの上りバッファ滞留量「ＵＬ_Ｂｕｆｆｅｒｎ，ｋ」が、「Ｔｈｒｅｓｈｏｌｄｄａｔａ＿ｓｉｚｅ,SID」以上であり、かつ、閾値「Ｔｈｒｅｓｈｏｌｄｄａｔａ＿ｓｉｚｅ＿ＵＬ」以下であるか否かについて判定する。
【０１７９】
かかるＲＬＣ  ＳＤＵのサイズ、若しくは、かかる上りバッファ滞留量「ＵＬ_Ｂｕｆｆｅｒｎ，ｋ」が「Ｔｈｒｅｓｈｏｌｄｄａｔａ＿ｓｉｚｅ,SID」以上であり、かつ、閾値「Ｔｈｒｅｓｈｏｌｄｄａｔａ＿ｓｉｚｅ＿ＵＬ」以下である場合に「ＯＫ」を返し、それ以外の場合に「ＮＧ」を返す。
【０１８０】
なお、上述した処理の代わりに、かかるＲＬＣ  ＳＤＵのサイズとかかる上りバッファ滞留量の和に基づいて、上述した判定を行ってもよい。すなわち、かかるＲＬＣ  ＳＤＵのサイズとかかる上りバッファ滞留量の和が、「Ｔｈｒｅｓｈｏｌｄｄａｔａ＿ｓｉｚｅ,SID」以上であり、かつ、閾値「Ｔｈｒｅｓｈｏｌｄｄａｔａ＿ｓｉｚｅ＿ＵＬ」以下である場合に「ＯＫ」を返し、それ以外の場合に「ＮＧ」を返してもよい。
【０１８１】
ステップＳ６０４（Ｂｕｆｆｅｒ  Ｄａｔａ  Ｃｈｅｃｋ１）の結果が「ＯＫ」の場合は、ステップＳ６０５（Ｔａｌｋ  Ｓｐｕｒｔ＝ＯＮ）の処理に進み、ステップＳ６０４（Ｂｕｆｆｅｒ  Ｄａｔａ  Ｃｈｅｃｋ１）の結果が「ＮＧ」の場合は、ステップＳ６１６（ｎ＋＋）の処理に進む。
【０１８２】
ステップＳ６０５（Ｔａｌｋ  Ｓｐｕｒｔ＝ＯＮ）において、当該移動局ＵＥの状態を「ＵＬ  Ｔａｌｋ  Ｓｐｕｒｔ状態＝ＯＮ」とする。
【０１８３】
ステップＳ６０５（Ｔａｌｋ  Ｓｐｕｒｔ＝ＯＮ）の処理の後、ステップＳ６０８（１ｓｔ  ＴＸ  ＴＦ  ＮＵＬＬ  Ｃｈｅｃｋ？）の処理に進む。
【０１８４】
なお、ステップＳ６０４及びＳ６０５における処理の効果を以下に説明する。
【０１８５】
「Ｐｅｒｓｉｓｔｅｎｔスケジューリング」においては、上り無線リソースが固定的に割り当てられるため、送信可能なデータのサイズには上限値が存在する。
【０１８６】
そして、かかる上限値よりも上りバッファ滞留量「ＵＬ_Ｂｕｆｆｅｒｎ，ｋ」が大きい場合には、「Ｐｅｒｓｉｓｔｅｎｔスケジューリング」ではなく、「Ｄｙｎａｍｉｃスケジューリング」により、上り無線リソースを割り当てる必要がある。
【０１８７】
すなわち、かかる上限値よりも上りバッファ滞留量「ＵＬ_Ｂｕｆｆｅｒｎ，ｋ」が大きい場合には、たとえ移動局の送信バッファ内に送信すべきデータが存在したとしても、「Ｐｅｒｓｉｓｔｅｎｔスケジューリング」により上り無線リソースを割り当てると判断してはいけないため、上述した処理において、ＮＧと判定される。
【０１８８】
なお、上述した処理においては、かかる上限値が第１閾値「Ｔｈｒｅｓｈｏｌｄｄａｔａ＿ｓｉｚｅ＿ＵＬ」に相当する。
【０１８９】
また、例えば、ＶｏＩＰサービス等の場合、無音時に「ＳＩＤパケット」というパケットが送信される。
【０１９０】
かかるＳＩＤパケットは、無音時に送信されるパケットであり、音声のような一定の伝送速度で伝送されるパケットではないため、かかるＳＩＤパケットに対して、「Ｐｅｒｓｉｓｔｅｎｔスケジューリング」によるリソース割り当てを行うべきではない。
【０１９１】
すなわち、かかるＳＩＤパケットに対しては、「Ｄｙｎａｍｉｃスケジューリング」によるリソース割り当てを行う必要がある。
【０１９２】
よって、移動局ＵＥの送信バッファ内にデータが存在するか否かを判断する際に、下限値を設定し、かかる下限値よりも送信可能なデータのサイズが小さい場合には、たとえ送信すべきデータが存在したとしても、「Ｐｅｒｓｉｓｔｅｎｔスケジューリング」により上り無線リソースを割り当てないと判断し、上述した処理において、「ＮＧ」と判定される。
【０１９３】
なお、上述した処理において、かかる下限値が第２閾値「Ｔｈｒｅｓｈｏｌｄｄａｔａ＿ｓｉｚｅ,SID」に相当する。
【０１９４】
なお、移動局ＵＥから報告される上りバッファ滞留量、すなわち、バッファステータスレポートには、かかるバッファステータスレポートがマッピングされているＵＬ−ＳＣＨに含まれるデータサイズが含まれていない。
【０１９５】
よって、上述したように、移動局ＵＥから報告される上りバッファ滞留量に加えて、移動局ＵＥから送信されたＰｅｒｓｉｓｔｅｎｔ  Ｓｃｈｅｄｕｌｉｎｇが適用されるＬｏｇｉｃａｌ  Ｃｈａｎｎｅｌを介して受信したＲＬＣ  ＳＤＵのサイズも考慮して、上述した判定を行う必要がある。
【０１９６】
ステップＳ６０６（Ｂｕｆｆｅｒ  Ｄａｔａ  Ｃｈｅｃｋ２）において、無線基地局ｅＮＢは、当該移動局ＵＥが有する「Ｐｅｒｓｉｓｔｅｎｔスケジューリング」が適用される論理チャネルが含まれる論理チャネルグループ＃ｋに関して、当該「ＵＬ  Ｔａｌｋ  Ｓｐｕｒｔ＝ＯＮ」の状態において、当該移動局ＵＥ＃ｎから「ＵＬ_Ｂｕｆｆｅｒｎ，ｋ＝０」を示す「Ｂｕｆｆｅｒ  Ｓｔａｔｕｓ  Ｒｅｐｏｒｔ」を受信しているか否かについて判定する。
【０１９７】
当該「Ｂｕｆｆｅｒ  Ｓｔａｔｕｓ  Ｒｅｐｏｒｔ」を受信している場合に「ＯＫ」を返し、それ以外の場合に「ＮＧ」を返す。
【０１９８】
なお、無線基地局ｅＮＢは、当該移動局ＵＥの上りリンクの同期状態がＮＧである場合には、上述した、当該移動局ＵＥ＃ｎから「ＵＬ_Ｂｕｆｆｅｒｎ，ｋ＝０」を示す「Ｂｕｆｆｅｒ  Ｓｔａｔｕｓ  Ｒｅｐｏｒｔ」を受信しているか否かの判定に関係なく、本処理において、ＯＫを返してもよい。
【０１９９】
ここで、前記上りリンクの同期状態がＮＧであるとは、例えば、ＵＬの同期状態が確立していない状態であってもよいし、或いは、ＵＬのタイミング同期を維持するためのＴｉｍｅ  Ａｌｉｇｎｍｅｎｔ  ＴｉｍｅｒがＥｘｐｉｒｅしている、或いは、起動されていない状態であってもよい。
【０２００】
なお、無線基地局ｅＮＢは、上述した例において、当該移動局ＵＥが有する「Ｐｅｒｓｉｓｔｅｎｔスケジューリング」が適用される論理チャネルが含まれる論理チャネルグループ＃ｋに関して、当該移動局ＵＥ＃ｎから「ＵＬ_Ｂｕｆｆｅｒｎ，ｋ＝０」を示す「Ｂｕｆｆｅｒ  Ｓｔａｔｕｓ  Ｒｅｐｏｒｔ」を受信しているか否かについて判定したが、代わりに、当該移動局ＵＥが有する「Ｐｅｒｓｉｓｔｅｎｔスケジューリング」が適用される論理チャネルが含まれる論理チャネルグループ＃ｋに関して、当該移動局ＵＥ＃ｎから「ＵＬ_Ｂｕｆｆｅｒｎ，ｋ＝０」を示す「Ｂｕｆｆｅｒ  Ｓｔａｔｕｓ  Ｒｅｐｏｒｔ」を所定の回数だけ連続して受信しているか否かについて判定してもよい。
【０２０１】
すなわち、無線基地局ｅＮＢは、かかる「Ｂｕｆｆｅｒ  Ｓｔａｔｕｓ  Ｒｅｐｏｒｔ」を所定の回数だけ連続して受信している場合に「ＯＫ」を返し、それ以外の場合に「ＮＧ」を返してもよい。
【０２０２】
なお、かかるＢｕｆｆｅｒ  Ｓｔａｔｕｓ  Ｒｅｐｏｒｔは、Ｐｅｒｓｉｓｔｅｎｔスケジューリングが適用されるＵＬ-ＳＣＨ（上り無線リソース）にマッピングされる。
【０２０３】
ステップＳ６０６の「Ｂｕｆｆｅｒ  Ｄａｔａ  Ｃｈｅｃｋ２」の結果が「ＯＫ」の場合は、ステップＳ６０７（Ｔａｌｋ  Ｓｐｕｒｔ＝ＯＦＦ）の処理に進み、ステップＳ６０６の「Ｂｕｆｆｅｒ  Ｄａｔａ  Ｃｈｅｃｋ２」の結果が「ＮＧ」の場合は、ステップＳ６０８の「１ｓｔ  ＴＸ  ＴＦ  ＮＵＬＬ  Ｃｈｅｃｋ？」の処理に進む。
【０２０４】
ステップＳ６０７において、当該移動局ＵＥの状態を「ＵＬ  Ｔａｌｋ  Ｓｐｕｒｔ状態＝ＯＦＦ」とする。このとき、当該移動局ＵＥの状態を、ＵＬ＿１ｓｔ＿ＴＸ＿ＴＦ＝ＮＵＬＬとする。
【０２０５】
また、当該移動局ＵＥに割り当てられていた「Ｐｅｒｓｉｓｔｅｎｔスケジューリング」の初回送信のリソースを解放する。
【０２０６】
なお、「Ｐｅｒｓｉｓｔｅｎｔスケジューリングの初回送信のリソース」とは、Ｐｅｒｓｉｓｔｅｎｔスケジューリングにより割り当てられる上り無線リソースのことを指す。
【０２０７】
かかる初回送信のリソースの解放は、暗示的に行われてもよいし、或いは、ＲＲＣメッセージ等のシグナリングにより、明示的に行われてもよい。
【０２０８】
なお、ステップＳ６０６及びステップＳ６０７における処理の効果を以下に説明する。
【０２０９】
例えば、「Ｐｅｒｓｉｓｔｅｎｔスケジューリング」によりリソース割り当てを行うパケットが音声パケットである場合、たとえ、会話中であっても、送信すべきパケットが存在しない場合がある。
【０２１０】
すなわち、会話が継続されている場合にも、「Ｐｅｒｓｉｓｔｅｎｔスケジューリング」による送信タイミングにおいて、送信すべきデータが存在しない場合がある。
【０２１１】
かかる場合、１回の送信タイミングで、会話が終了した、すなわち、「Ｔａｌｋ  Ｓｐｕｒｔ」が終了したと判断すると、その直後に、再度、「Ｐｅｒｓｉｓｔｅｎｔスケジューリング」によるリソース割り当てを行う必要があり、非効率である。
【０２１２】
よって、当該移動局ＵＥ＃ｎから「ＵＬ_Ｂｕｆｆｅｒｎ，ｋ＝０」を示す「Ｂｕｆｆｅｒ  Ｓｔａｔｕｓ  Ｒｅｐｏｒｔ」を受信したと判断された時点で、或いは、当該移動局ＵＥ＃ｎから「ＵＬ_Ｂｕｆｆｅｒｎ，ｋ＝０」を示す「Ｂｕｆｆｅｒ  Ｓｔａｔｕｓ  Ｒｅｐｏｒｔ」を所定の回数だけ連続して受信したと判断された時点で、「Ｓｉｌｅｎｔ  ｍｏｄｅ」に遷移したと判断するという処理を行うことにより、適切に、「Ｔａｌｋ  Ｓｐｕｒｔ状態」の「ＯＮ/ＯＦＦ」を判断することが可能となる。
【０２１３】
ステップＳ６０８（１ｓｔ  ＴＸ  ＴＦ  ＮＵＬＬ  Ｃｈｅｃｋ）において、当該移動局ＵＥの「ＵＬ_１ｓｔ_ＴＸ_ＴＦ」が「ＮＵＬＬ」であるか否かについて判定する。
【０２１４】
当該移動局ＵＥの「ＵＬ_１ｓｔ_ＴＸ_ＴＦ」が「ＮＵＬＬ」である場合に「ＯＫ」を返し、それ以外の場合に「ＮＧ」を返す。
【０２１５】
「１ｓｔ  ＴＸ  ＴＦ  ＮＵＬＬ  Ｃｈｅｃｋ」の結果が「ＯＫ」の場合は、ステップＳ６１２の「Ｔｅｍｐｏｒａｒｙ  １ｓｔ  ＴＸ  ＴＦ  Ｓｅｌｅｃｔｉｏｎ（ｉｎｉｔｉａｌ）」の処理に進み、１ｓｔ  ＴＸ  ＴＦ  ＮＵＬＬ  Ｃｈｅｃｋ」の結果が「ＮＧ」の場合は、ステップＳ６０９の「Ｔｅｍｐｏｒａｒｙ  １ｓｔ  ＴＸ  ＴＦ  Ｓｅｌｅｃｔｉｏｎ」の処理に進む。
【０２１６】
ところで、当該移動局ＵＥの「ＵＬ_１ｓｔ_ＴＸ_ＴＦ」とは、当該移動局ＵＥに対して、「Ｐｅｒｓｉｓｔｅｎｔスケジューリング」により割り当てられている上り無線リソースの状態を示す変数であり、「当該移動局ＵＥの「ＵＬ_１ｓｔ_ＴＸ_ＴＦ」が「ＮＵＬＬ」である」とは、当該移動局ＵＥに関して、「Ｐｅｒｓｉｓｔｅｎｔスケジューリング」により割り当てられている上り無線リソースが存在しないことを示す。
【０２１７】
よって、ステップＳ６０８における処理により、当該移動局ＵＥに関して、「Ｐｅｒｓｉｓｔｅｎｔスケジューリング」により割り当てられている上り無線リソースが存在しない場合には、ステップＳ６１２、Ｓ６１３、Ｓ６１４の処理に進み、新規に、「Ｐｅｒｓｉｓｔｅｎｔスケジューリング」により上り無線リソースを割り当てる処理が行われる。
【０２１８】
また、ステップＳ６０８における処理により、当該移動局ＵＥに関して、「Ｐｅｒｓｉｓｔｅｎｔスケジューリング」により割り当てられている上り無線リソースが存在する場合には、当該移動局ＵＥに関して、既に割り当てられている「Ｐｅｒｓｉｓｔｅｎｔスケジューリング」による上り無線リソースを変更するべきか否かについて判定するための処理（ステップＳ６０９、Ｓ６０９Ａ、Ｓ６１０、Ｓ６１１）に進む。
【０２１９】
ステップＳ６０９（Ｔｅｍｐｏｒａｒｙ  １ｓｔ  ＴＸ  ＴＦ  Ｓｅｌｅｃｔｉｏｎ）において、ステップＳ６０３において算出された「Ｐａｔｈｌｏｓｓ」及び図７に示す「Ｐｅｒｓｉｓｔｅｎｔ  ＵＬ  ＴＦＲテーブル」に基づき、最適な送信フォーマット（ＴＦ）を選択し、当該最適な送信フォーマットを「Ｔｅｍｐｏｒａｒｙ_ＵＬ_１ｓｔ_ＴＸ_ＴＦ」とする。
【０２２０】
この時、現在の送信フォーマット（ＵＬ_１ｓｔ_ＴＸ_ＴＦ）よりも小さい送信フォーマットに遷移する場合には、「Ｐａｔｈｌｏｓｓ（ＵＰ）」の閾値を用い、現在の送信フォーマット（ＵＬ_１ｓｔ_ＴＸ_ＴＦ）よりも大きい送信フォーマットに遷移する場合には、「Ｐａｔｈｌｏｓｓ（ＤＯＷＮ）」の閾値を用いる。
【０２２１】
ここで、図８を参照して、各送信フォーマット（ＴＦ）の例について説明する。送信フォーマットは、図８に示すように、データサイズ（ペイロードサイズ）と変調方式（Ｍｏｄｕｌａｔｉｏｎ）とリソースブロック数（ＲＢ数）とにより決定される。
【０２２２】
或いは、送信フォーマットは、図８Ａに示すように、データサイズ（ペイロードサイズ）と変調方式（Ｍｏｄｕｌａｔｉｏｎ）とリソースブロック数（ＲＢ数）とＴＴＩ  ｂｕｎｄｌｉｎｇの有無とにより決定されてもよい。
【０２２３】
ここで、図８の場合、ＴＦのインデックス（＃）が小さいほど、ＲＢ数が小さくなるため、移動局ＵＥと無線基地局ｅＮＢとの間のパスロスが小さい場合に用いられる。また、図８Ａの場合、ＴＦのインデックス（＃）が小さいほど、ＴＴＩ  ｂｕｎｄｌｉｎｇが無しとなるため、移動局ＵＥと無線基地局ｅＮＢとの間のパスロスが小さい場合に用いられる。
【０２２４】
なお、図７に示した「Ｐｅｒｓｉｓｔｅｎｔ  ＵＬ  ＴＦＲテーブル」において、「Ｐａｔｈｌｏｓｓ（ＵＰ）」の閾値と「Ｐａｔｈｌｏｓｓ（ＤＯＷＮ）」の閾値の２種類の閾値を持つ効果を説明する。
【０２２５】
例えば、現在の送信フォーマットが「ＴＦ＃２」である場合に、「ＴＦ＃１」に遷移する場合には、「Ｐａｔｈｌｏｓｓ」の値が「ＹＵＬ，１，ＵＰ」未満でなければならない。
【０２２６】
一方、現在の送信フォーマットが「ＴＦ＃１」である場合に、「ＴＦ＃２」に遷移する場合には、「Ｐａｔｈｌｏｓｓ」の値が「ＹＵＬ，１，ＤＯＷＮ」以上でなければならない。
【０２２７】
この場合、例えば、現在の送信フォーマットが「ＴＦ＃２」である場合に、「Ｐａｔｈｌｏｓｓ」の値が「ＹＵＬ，１，ＵＰ」となったため、送信フォーマットが「ＴＦ＃２」から「ＴＦ＃１」に遷移した場合には、逆に、送信フォーマットが「ＴＦ＃１」から「ＴＦ＃２」に戻る場合は、「ＹＵＬ，１，ＵＰ」である「Ｐａｔｈｌｏｓｓ」の値が「ＹＵＬ，１，ＤＯＷＮ」以上にまで大きくなる必要があり、容易に「ＴＦ＃２」に戻りにくくなる。
【０２２８】
すなわち、このように、「ＴＦ＃２」から「ＴＦ＃１」に遷移する閾値と「ＴＦ＃１」から「ＴＦ＃２」に遷移する閾値との間に敢えて差を持たせることにより、送信フォーマットの「ＴＦ＃２」と「ＴＦ＃１」との間でのばたつきを抑えることが可能となる。
【０２２９】
なお、上述したように、「遷移する方向によって閾値を２種類持たせること」を、「閾値にヒステリシスを持たせる」と表現されてもよい。
【０２３０】
ステップ６０９の「Ｔｅｍｐｏｒａｒｙ  １ｓｔ  ＴＸ  ＴＦ  Ｓｅｌｅｃｔｉｏｎ」の処理の後、ステップＳ６１０の「Ｕｐｄａｔｉｎｇ  ＴＴＴ、Ｔｉｍｅｒｒｅｃｏｎｆ」の処理に進む。
【０２３１】
ステップＳ６０９Ａの「Ｕｐｄａｔｉｎｇ  ＴＴＴ、Ｔｉｍｅｒｒｅｃｏｎｆ」の処理において、以下の処理により、「ＴＴＴＵＬ，ｐｅｒｓｉｓｔｅｎｔ，Ｄｏｗｎ」、「ＴＴＴＵＬ，ｐｅｒｓｉｓｔｅｎｔ，Ｕｐ」及び「ＴｉｍｅｒＵＬ，ｒｅｃｏｎｆ」の更新を行う。
【０２３２】
Ｉｆ（ＵＬ_１ｓｔ_ＴＸ_ＴＦ＞Ｔｅｍｐｏｒａｒｙ_ＵＬ_１ｓｔ_ＴＸ_ＴＦ）{
ＴＴＴＵＬ，ｐｅｒｓｉｓｔｅｎｔ，Ｄｏｗｎ＋＝１
ＴＴＴＵＬ，ｐｅｒｓｉｓｔｅｎｔ，Ｕｐ＝０
ＴｉｍｅｒＵＬ，ｒｅｃｏｎｆ＋＝１
}
ｅｌｓｅ  ｉｆ（ＵＬ_１ｓｔ_ＴＸ_ＴＦ＜Ｔｅｍｐｏｒａｒｙ_ＵＬ_１ｓｔ_ＴＸ_ＴＦ）{
ＴＴＴＵＬ，ｐｅｒｓｉｓｔｅｎｔ，Ｕｐ＋＝１
ＴＴＴＵＬ，ｐｅｒｓｉｓｔｅｎｔ，Ｄｏｗｎ＝０
ＴｉｍｅｒＵＬ，ｒｅｃｏｎｆ＋＝１
}
ｅｌｓｅ  {
ＴＴＴＵＬ，ｐｅｒｓｉｓｔｅｎｔ，Ｄｏｗｎ＝０
ＴＴＴＵＬ，ｐｅｒｓｉｓｔｅｎｔ，Ｕｐ＝０
ＴｉｍｅｒＵＬ，ｒｅｃｏｎｆ＋＝１
}
ステップＳ６０９Ａの「Ｕｐｄａｔｉｎｇ  ＴＴＴ、Ｔｉｍｅｒｒｅｃｏｎｆ」の処理の後、ステップＳ６１０の「ＴＴＴｐｅｒｓｉｓｔｅｎｔ  Ｃｈｅｃｋ」の処理に進む。
【０２３３】
ステップＳ６１０の「ＴＴＴｐｅｒｓｉｓｔｅｎｔ  Ｃｈｅｃｋ」の処理において、当該移動局ＵＥに関して、「ＴＴＴＵＬ，  ｐｅｒｓｉｓｔｅｎｔ，  Ｄｏｗｎ」が「ＴｈＵＬＴＴＴ」以上であるか否か、或いは、「ＴＴＴＵＬ, persistent, Up」が「ＴｈＵＬ,TTT」以上であるか否かについて判定する。
【０２３４】
「ＴＴＴＵL, persistent, Down」が「ＴｈＵL,TTT」以上である、或いは、「ＴＴＴＵL, persistent, Up」が「ＴｈDLTTT」以上である場合に「ＯＫ」を返し、それ以外の場合に「ＮＧ」を返す。
【０２３５】
「ＴＴＴＵＬ, persistent  Ｃｈｅｃｋ」の結果が「ＯＫ」の場合は、ステップＳ６１３の「Ｐｅｒｓｉｓｔｅｎｔ  Ｓｕｂ-ｆｒａｍｅ  Ｓｅｌｅｃｔｉｏｎ」の処理に進み、「ＴＴＴＵＬ, ｐｅｒｓｉｓｔｅｎｔ  Ｃｈｅｃｋ」の結果が「ＮＧ」の場合は、ステップＳ６１１の「Ｐｅｒｓｉｓｔｅｎｔ  Ｓｕｂ-ｆｒａｍｅ  Ｒｅｃｏｎｆｉｇｕｒａｔｉｏｎ  Ｃｈｅｃｋ」の処理に進む。
【０２３６】
ここで、ステップＳ６０９Ａ、Ｓ６１０の処理による制御の効果を説明する。
【０２３７】
ステップ６０９Ａ、Ｓ６１０における「ＴＴＴＵＬ，ｐｅｒｓｉｓｔｅｎｔ，Ｄｏｗｎ」は、最適な送信フォーマット（ＴＦ）である「Ｔｅｍｐｏｒａｒｙ_ＵＬ_１ｓｔ_ＴＸ_ＴＦ」が、現在の送信フォーマット（ＵＬ_１ｓｔ_ＴＸ_ＴＦ）よりも小さい場合に、現在の送信フォーマット（ＵＬ_１ｓｔ_ＴＸ_ＴＦ）から、最適な送信フォーマット（ＴＦ）である「Ｔｅｍｐｏｒａｒｙ_ＵＬ_１ｓｔ_ＴＸ_ＴＦ」へ遷移することを決定するためのタイマーである。
【０２３８】
例えば、ステップＳ６１０における「ＴＴＴＵＬ，ｐｅｒｓｉｓｔｅｎｔ，Ｄｏｗｎ」のための閾値「ＴｈＵＬ，ＴＴＴ」を「２００ｍｓ」と設定した場合、最適な送信フォーマット（ＴＦ）である「Ｔｅｍｐｏｒａｒｙ_ＵＬ_１ｓｔ_ＴＸ_ＴＦ」が、現在の送信フォーマット（ＵＬ_１ｓｔ_ＴＸ_ＴＦ）よりも小さいという状態が「２００ｍｓ」を超えた場合に、ステップＳ６１０の「ＴＴＴＵＬ, persistent  Ｃｈｅｃｋ」の結果が「ＯＫ」となり、ステップＳ６１３、Ｓ６１４の「Ｐｅｒｓｉｓｔｅｎｔスケジューリング」により割り当てられる上り無線リソースを変更する処理が行われる。
【０２３９】
ここで、２００ｍｓの間、最適な送信フォーマット（ＴＦ）である「Ｔｅｍｐｏｒａｒｙ_ＵＬ_１ｓｔ_ＴＸ_ＴＦ」が、現在の送信フォーマット（ＵＬ_１ｓｔ_ＴＸ_ＴＦ）よりも小さいという状態が継続しなかった場合には、ステップＳ６０９Ａの処理において、「ＴＴＴＵＬ, persistent, Down＝０」の処理が行われるため、タイマー「ＴＴＴＵＬ，ｐｅｒｓｉｓｔｅｎｔ，Ｄｏｗｎ」がリセットされることになる。
【０２４０】
このように、最適な送信フォーマット（ＴＦ）である「Ｔｅｍｐｏｒａｒｙ_ＵＬ_１ｓｔ_ＴＸ_ＴＦ」が、現在の送信フォーマット（ＵＬ_１ｓｔ_ＴＸ_ＴＦ）よりも小さいという状態が、所定の閾値「ＴｈＵＬ，ＴＴＴ」だけ継続した場合に、送信フォーマットを変更するという処理を行うことにより、送信フォーマットを変更する処理が頻発することを低減することが可能となる。
【０２４１】
なお、ステップ６０９Ａ、Ｓ６１０における「ＴＴＴＵＬ，ｐｅｒｓｉｓｔｅｎｔ，Ｕｐ」は、「ＴＴＴＵＬ，ｐｅｒｓｉｓｔｅｎｔ，Ｄｏｗｎ」に関する説明とほぼ同一であるため省略する。
【０２４２】
ステップＳ６１１の「Ｐｅｒｓｉｓｔｅｎｔ  Ｓｕｂ-ｆｒａｍｅ  Ｒｅｃｏｎｆｉｇｕｒａｔｉｏｎ  Ｃｈｅｃｋ」において、当該移動局ＵＥに関して、「ＴｉｍｅｒＵＬ,reconf」が「ＴｈＵＬ,reconf」以上であるか否かについて判定する。
【０２４３】
「ＴｉｍｅｒDL,reconf」が「ＴｈDL,reconf」以上である場合に「ＯＫ」を返し、それ以外の場合に「ＮＧ」を返す。
【０２４４】
「Ｐｅｒｓｉｓｔｅｎｔ  Ｓｕｂ-ｆｒａｍｅ  Ｒｅｃｏｎｆｉｇｕｒａｔｉｏｎ  Ｃｈｅｃｋ」が「ＯＫ」の場合は、ステップＳ６１３の「Ｐｅｒｓｉｓｔｅｎｔ  Ｓｕｂ-ｆｒａｍｅ  Ｓｅｌｅｃｔｉｏｎ」の処理に進み、「Ｐｅｒｓｉｓｔｅｎｔ  Ｓｕｂ-ｆｒａｍｅ  Ｒｅｃｏｎｆｉｇｕｒａｔｉｏｎ  Ｃｈｅｃｋ」が「ＮＧ」の場合は、ステップＳ６１６の「ｎ＋＋」の処理に進む。
【０２４５】
ここで、ステップＳ６１１の処理による制御の効果を説明する。
【０２４６】
ステップ６１１により、所定の時間間隔「ＴｉｍｅｒＵＬ,reconf」だけ連続して同一の「Ｐｅｒｓｉｓｎｔｅｎｔスケジューリング」により割り当てられる上り無線リソースを用いて上りデータの送信が行われている場合に、かかる上り無線リソースが変更される。
【０２４７】
これは、図１０（Ａ）に示す状態を、可能な限り、図１０（Ｂ）に示す状態に近づけることを意図して行われる。
【０２４８】
例えば、図１０（Ａ）に示す状態から図１０（Ｂ）に示す状態に変更する最も簡単な方法は、図１０（Ａ）に示す状態にある全ての移動局ＵＥに対して「ＰＤＣＣＨ」を介して、「Ｐｅｒｓｉｓｎｔｅｎｔスケジューリング」により割り当てられる上り無線リソースを変更することである。
【０２４９】
しかしながら、上述したような処理を行う場合、「ＰＤＣＣＨ」の無線リソースを大量に消費することになり、「ＰＤＣＣＨ」の無線リソースを低減するという「Ｐｅｒｓｉｓｔｅｎｔスケジューリング」のコンセプトに反する。
【０２５０】
また、より少ない「ＰＤＣＣＨ」の数で、より効率よく、図１０（Ａ）に示す状態から図１０（Ｂ）に示す状態に近づけるという制御は、高度で複雑なアルゴリズムが必要とされる。
【０２５１】
一方、ステップＳ６１１における処理を用いた場合、全ての移動局の「Ｐｅｒｓｉｓｎｔｅｎｔスケジューリング」により割り当てられる上り無線リソースを、適切な時間間隔（ＴｉｍｅｒＵＬ, reconf）で変更するという処理が適用されるため、適切な量の「ＰＤＣＣＨ」により、かつ、簡単な処理により、適切なレベルまで、図１０（Ａ）に示す状態から図１０（Ｂ）に示す状態に近づけることが可能となる。
【０２５２】
なお、本処理は、全ての移動局に対して行われるが、「ＴｉｍｅｒＵＬ,reconf」の起動時間は、移動局ＵＥ毎に異なるため、結果として、「ＴｉｍｅｒＵＬ,reconf」により、「Ｐｅｒｓｉｓｎｔｅｎｔスケジューリング」により割り当てられる上り無線リソースが変更されるタイミングは分散されるため、一度に、「ＰＤＣＣＨ」の無線リソースが大量に消費されるという問題は生じない。
【０２５３】
ステップＳ６１２における「１ｓｔ  ＴＸ  ＴＦ  Ｓｅｌｅｃｔｉｏｎ（ｉｎｉｔｉａｌ）」の処理により、「Ｐａｔｈｌｏｓｓ」と、図９に示す「Ｐｅｒｓｉｓｔｅｎｔ  ＵＬ  ＴＦＲ  ｔａｂｌｅ（ｉｎｉｔｉａｌ）」とに基づいて、最適な送信フォーマット（Ｔｒａｎｓｐｏｒｔ  ｆｏｒｍａｔ、ＴＦ）を選択し、当該送信フォーマットを「Ｔｅｍｐｏｒａｒｙ_ＵＬ_１ｓｔ_ＴＸ_ＴＦ」とする。
【０２５４】
また、「ＴＴＴＵＬ，ｐｅｒｓｉｓｔｅｎｔ，Ｕｐ ＝０」、「ＴＴＴＵＬ，ｐｅｒｓｉｓｔｅｎｔ，Ｄｏｗｎ ＝０」、「ＴｉｍｅｒＵＬ，ｒｅｃｏｎｆ ＝０」とする。
【０２５５】
なお、かかる送信フォーマットは、例えば、図８又は図８Ａに示される送信フォーマットである。
【０２５６】
ステップＳ６１２の処理の後、ステップＳ６１３に進む。
【０２５７】
ステップＳ６１３の「Ｐｅｒｓｉｓｔｅｎｔ  Ｓｕｂ-ｆｒａｍｅ  Ｓｅｌｅｃｔｉｏｎ」の処理により、当該移動局ＵＥに対して、「Ｐｅｒｓｉｓｔｅｎｔスケジューリング」が適用される「ＵＬ-ＳＣＨ」の初回送信のための「Ｐｅｒｓｉｓｔｅｎｔ  Ｓｕｂ-ｆｒａｍｅ（ＵＬ_１ｓｔ_ＴＸ_Ｐｅｒｓｉｓｔｅｎｔ_Ｓｕｂｆｒａｍｅ）」が決定される。
【０２５８】
なお「Ｐｅｒｓｉｓｔｅｎｔスケジューリング」が適用される「ＵＬ-ＳＣＨ」の初回送信のための「Ｐｅｒｓｉｓｔｅｎｔ  Ｓｕｂ-ｆｒａｍｅ（ＵＬ_１ｓｔ_ＴＸ_Ｐｅｒｓｉｓｔｅｎｔ_Ｓｕｂｆｒａｍｅ）」とは、上り無線リソース割当開始時点のことである。
【０２５９】
「Ｐｅｒｓｉｓｔｅｎｔ  Ｓｕｂ-ｆｒａｍｅ」の内、「当該移動局ＵＥのＤＲＸ受信タイミングであり、かつ、リソース使用量「ＵＬ_Ｒｅｓｏｕｒｃｅ（ｍ）の値が最も小さいＰｅｒｓｉｓｔｅｎｔ  Ｓｕｂ-ｆｒａｍｅ」を、当該移動局ＵＥの「Ｃａｎｄｉｄａｔｅ_Ｓｕｂｆｒａｍｅ」として選択する。
【０２６０】
ここで、かかるリソース使用量ＵＬ＿Ｒｅｓｏｕｒｃｅ（ｍ）には、ステップＳ６０１、Ｓ６１６、Ｓ６１７により構成されるループ処理の中で、Ｐｅｒｓｉｓｔｅｎｔスケジューリングが適用されるＵＬ-ＳＣＨの初回送信のための割り当てが行われた無線リソースが含まれてもよい。
【０２６１】
すなわち、ｍ番目の移動局ＵＥに関する処理においては、ｍ＝１、２、…、ｍ−１の移動局ＵＥに対して、ステップＳ６１３及びＳ６１４の処理により割り当てられた、Ｐｅｒｓｉｓｔｅｎｔスケジューリングが適用されるＵＬ-ＳＣＨの初回送信のための無線リソースが、かかるＵＬ＿Ｒｅｓｏｕｒｃｅ（ｍ）に考慮されてもよい。
【０２６２】
なお、「当該移動局ＵＥのＤＲＸ受信タイミングであり、かつ、リソース使用量ＵＬ_Ｒｅｓｏｕｒｃｅ（ｍ）の値が最も小さいＰｅｒｓｉｓｔｅｎｔ  Ｓｕｂ-ｆｒａｍｅ」が複数存在する場合には、「Ｐｅｒｓｉｓｔｅｎｔ  Ｓｕｂ-ｆｒａｍｅ番号」が最も小さい「Ｐｅｒｓｉｓｔｅｎｔ  Ｓｕｂ-ｆｒａｍｅ」を、当該移動局ＵＥの「Ｃａｎｄｉｄａｔｅ_Ｓｕｂｆｒａｍｅ」として選択してもよい。ここで、以下の処理により、変数の値を変更する。
【０２６３】
ＯＬＤ_ＵＬ_１ｓｔ_ＴＸ_Ｐｅｒｓｉｓｔｅｎｔ_Ｓｕｂｆｒａｍｅ＝ＵＬ_１ｓｔ_ＴＸ_Ｐｅｒｓｉｓｔｅｎｔ_Ｓｕｂｆｒａｍｅ
ＵＬ_１ｓｔ_ＴＸ_Ｐｅｒｓｉｓｔｅｎｔ_Ｓｕｂｆｒａｍｅ＝Ｃａｎｄｉｄａｔｅ_Ｓｕｂｆｒａｍｅ
とする。
【０２６４】
すなわち、ステップＳ６１３の処理により、「Ｐｅｒｓｉｓｔｅｎｔスケジューリング」により上り無線リソースが割り当てられる移動局ＵＥに対して、リソース使用量の小さいサブフレームを、上り無線リソース割当開始時点として割り当てるという処理が行われる。
【０２６５】
本処理により、上り無線リソースの使用量が小さいサブフレームにおいて、「Ｐｅｒｓｉｓｔｅｎｔスケジューリング」により無線リソースが割り当てられるデータの送信が行われるため、他の信号との衝突が低減され、効率の良い通信が可能となる。
【０２６６】
また、各移動局ＵＥに対して、上り無線リソースの使用量が小さいサブフレームを割り当てるという処理を行うことにより、「Ｐｅｒｓｉｓｔｅｎｔ  Ｓｕｂ-ｆｒａｍｅ」の中で、均等に上り無線リソースを割り当てることが可能になり、効率良く無線リソースを割り当てることが可能となる。
【０２６７】
なお、上記処理において、前記Ｃａｎｄｉｄａｔｅ＿Ｓｕｂ-ｆｒａｍｅは、「Ｐｅｒｓｉｓｔｅｎｔスケジューリング」が適用される「ＵＬ-ＳＣＨ」を受信するタイミングが、上りリンクの制御信号又は上りリンクのサウンディングリファレンス信号を受信するタイミングと異なるように選択されてもよい。
【０２６８】
図１１を用いて、さらに詳細に説明する。
【０２６９】
図１１に示す例では、Ｐｅｒｓｉｓｔｅｎｔ  Ｓｕｂ-ｆｒａｍｅ＃０〜＃１９の内、＃０〜＃５が、当該移動局ＵＥのＤＲＸ受信タイミングとして定義されている。なお、説明の便宜上、上りリンクＳｕｂ-ｆｒａｍｅと下りリンクのＳｕｂ-ｆｒａｍｅは一致していると看做す。
【０２７０】
なお、上りリンクの場合、固定的割当信号、すなわち、Ｐｅｒｓｉｓｔｅｎｔスケジューリングによるリソース割り当てのためのＰＤＣＣＨが送信されたサブフレームの４サブフレーム後に、Ｐｅｒｓｉｓｔｅｎｔスケジューリングが適用される上りリンクのデータ信号（ＵＬ-ＳＣＨ）が、移動局ＵＥより送信されるため、Ｐｅｒｓｉｓｔｅｎｔ  Ｓｕｂ-ｆｒａｍｅ＃４〜＃９が、Ｃａｎｄｉｄａｔｅ  Ｓｕｂ-ｆｒａｍｅとして選択される可能性のあるＰｅｒｓｉｓｔｅｎｔ  Ｓｕｂ-ｆｒａｍｅとなる。
【０２７１】
また、図１１に示す例では、当該移動局ＵＥが上りリンクの制御信号又は上りリンクのサウンディングリファレンス信号を送信する無線リソースが、Ｐｅｒｓｉｓｔｅｎｔ  Ｓｕｂ-ｆｒａｍｅ＃４に割り当てられている。
【０２７２】
すなわち、Ｐｅｒｓｉｓｔｅｎｔ  Ｓｕｂ-ｆｒａｍｅ＃４は、当該移動局ＵＥの観点からは、上りリンクの制御信号又は上りリンクのサウンディングリファレンス信号の送信タイミングであり、当該無線基地局の観点からは、当該移動局ＵＥから送信される上りリンクの制御信号又は上りリンクのサウンディングリファレンス信号の受信タイミングである。
【０２７３】
ここで、前記上りリンクの制御信号とは、例えば、下りリンクの無線品質情報ＣＱＩ（Ｃｈａｎｎｅｌ  Ｑｕａｌｉｔｙ  Ｉｎｄｉｃａｔｏｒ）やスケジューリング要求信号（ＳＲ：Ｓｃｈｅｄｕｌｉｎｇ  Ｒｅｑｕｅｓｔ）であってもよい。すなわち、当該移動局ＵＥは、Ｐｅｒｓｉｓｔｅｎｔ  Ｓｕｂ-ｆｒａｍｅ＃４において、ＣＱＩ又はＳＲを当該無線基地局に送信する。
【０２７４】
そして、上述した「Ｃａｎｄｉｄａｔｅ＿Ｓｕｂｆ-ｒａｍｅ」の選択は、前記上りリンクの制御信号又は上りリンクのサウンディングリファレンス信号の受信タイミングに基づいて行われる。例えば、図１１に示す例においては、当該移動局ＵＥのＤＲＸ受信タイミングは、＃０〜＃５であり、Ｃａｎｄｉｄａｔｅ  Ｓｕｂ-ｆｒａｍｅとして選択可能なＰｅｒｓｉｓｔｅｎｔ  Ｓｕｂ-ｆｒａｍｅは、以下のようになる。
【０２７５】
●  Ｐｅｒｓｉｓｔｅｎｔ  Ｓｕｂ-ｆｒａｍｅ  ＃４
●  Ｐｅｒｓｉｓｔｅｎｔ  Ｓｕｂ-ｆｒａｍｅ  ＃５
●  Ｐｅｒｓｉｓｔｅｎｔ  Ｓｕｂ-ｆｒａｍｅ  ＃６
●  Ｐｅｒｓｉｓｔｅｎｔ  Ｓｕｂ-ｆｒａｍｅ  ＃７
●  Ｐｅｒｓｉｓｔｅｎｔ  Ｓｕｂ-ｆｒａｍｅ  ＃８
●  Ｐｅｒｓｉｓｔｅｎｔ  Ｓｕｂ-ｆｒａｍｅ  ＃９
前記６個の、Ｃａｎｄｉｄａｔｅ  Ｓｕｂ-ｆｒａｍｅとして選択可能なＰｅｒｓｉｓｔｅｎｔ  Ｓｕｂ-ｆｒａｍｅの内、Ｐｅｒｓｉｓｔｅｎｔ  Ｓｕｂ-ｆｒａｍｅ＃０は、前記上りリンクの制御信号又は上りリンクのサウンディングリファレンス信号の受信タイミングに一致する。
【０２７６】
ここで、当該移動局ＵＥの「Ｃａｎｄｉｄａｔｅ＿Ｓｕｂ-ｆｒａｍｅ」は、前記上りリンクの制御信号又は上りリンクのサウンディングリファレンス信号の受信タイミングと一致しないように割り当てられてもよい。
【０２７７】
図１１の例では、Ｐｅｒｓｉｓｔｅｎｔ  Ｓｕｂ-ｆｒａｍｅ＃４以外のＰｅｒｓｉｓｔｅｎｔ  Ｓｕｂ-ｆｒａｍｅが、Ｃａｎｄｉｄａｔｅ  Ｓｕｂ-ｆｒａｍｅとして割り当てられてもよい。
【０２７８】
或いは、例えば、「当該移動局ＵＥのＤＲＸ受信タイミングであり、かつ、上りリンクの制御信号又は上りリンクのサウンディングリファレンス信号の受信タイミングと一致せず、かつ、リソース使用量ＤＬ_Ｒｅｓｏｕｒｃｅ（ｍ）の値が最も小さいＰｅｒｓｉｓｔｅｎｔ  Ｓｕｂ-ｆｒａｍｅ」を、当該移動局ＵＥの「Ｃａｎｄｉｄａｔｅ＿Ｓｕｂ-ｆｒａｍｅ」として選択してもよい。
【０２７９】
以下に、前記上りリンクの制御信号の受信タイミングと一致しないように、Ｃａｎｄｉｄａｔｅ＿Ｓｕｂ-ｆｒａｍｅを選択する効果を示す。
【０２８０】
Ｃａｎｄｉｄａｔｅ＿Ｓｕｂ-ｆａｍｅ、すなわち、Ｐｅｒｓｉｓｔｅｎｔスケジューリングが適用されるデータ信号（ＵＬ-ＳＣＨ）の受信タイミングが前記上りリンクの制御信号又は上りリンクのサウンディングリファレンス信号の受信タイミングと一致する場合、前記データ信号は、前記上りリンクの制御信号又は上りリンクのサウンディングリファレンス信号と多重されて送信されるため、伝送特性が劣化する可能性がある。
【０２８１】
より詳しく説明すると、前記データ信号又は上りリンクのサウンディングリファレンス信号と前記上りリンクの制御信号とが多重される場合、伝送される情報量が増加し、結果として、所要の信号電力が増大する。
【０２８２】
この場合、セル端などの無線品質の悪い領域では、前記Ｐｅｒｓｉｓｔｅｎｔ  Ｓｕｂ-ｆｒａｍｅ＃４を、Ｃａｎｄｉｄａｔｅ＿Ｓｕｂ-ｆｒａｍｅとして選択した場合に、該データ信号又は前記上りリンクの制御信号が、正常に伝送される可能性が低くなる。
【０２８３】
言い換えれば、Ｃａｎｄｉｄａｔｅ＿Ｓｕｂ-ｆｒａｍｅ、すなわち、Ｐｅｒｓｉｓｔｅｎｔスケジューリングが適用されるデータ信号（ＵＬ-ＳＣＨ）の受信タイミングが前記上りリンクの制御信号又は上りリンクのサウンディングリファレンス信号の受信タイミングと一致しないように、Ｃａｎｄｉｄａｔｅ＿Ｓｕｂ-ｆｒａｍｅを選択することにより、上述した伝送特性の劣化を低減することが可能となる。
【０２８４】
或いは、上記処理において、前記Ｃａｎｄｉｄａｔｅ＿Ｓｕｂ-ｆｒａｍｅは、下りリンクのＰｅｒｓｉｓｉｔｅｎｔスケジューリングが適用されるデータ信号（ＤＬ-ＳＣＨ）に対する送達確認情報を受信するタイミングと異なるように選択されてもよい。
【０２８５】
図１２を用いて、さらに詳細に説明する。
【０２８６】
図１２に示す例では、Ｐｅｒｓｉｓｔｅｎｔ  Ｓｕｂ-ｆｒａｍｅ＃０〜＃１９の内、＃０〜＃５が、当該移動局ＵＥのＤＲＸ受信タイミングとして定義されている。なお、説明の便宜上、上りリンクＳｕｂ-ｆｒａｍｅと下りリンクのＳｕｂ-ｆｒａｍｅは一致していると看做す。
【０２８７】
なお、上りリンクの場合、固定的割当信号、すなわち、Ｐｅｒｓｉｓｔｅｎｔスケジューリングによるリソース割り当てのためのＰＤＣＣＨが送信されたサブフレームの４サブフレーム後に、Ｐｅｒｓｉｓｔｅｎｔスケジューリングが適用される上りリンクのデータ信号（ＵＬ-ＳＣＨ）が、移動局ＵＥより送信されるため、Ｐｅｒｓｉｓｔｅｎｔ  Ｓｕｂ-ｆｒａｍｅ＃４〜＃９が、Ｃａｎｄｉｄａｔｅ  Ｓｕｂ-ｆｒａｍｅとして選択される可能性のあるＰｅｒｓｉｓｔｅｎｔ  Ｓｕｂ-ｆｒａｍｅとなる。
【０２８８】
また、図１２に示す例では、当該移動局ＵＥに対して、Ｐｅｒｓｉｓｔｅｎｔスケジューリングが適用される下りリンクのデータ信号（ＤＬ-ＳＣＨ）に対する送達確認情報のための上りリンクの無線リソースが、Ｐｅｒｓｉｓｔｅｎｔ  Ｓｕｂ-ｆｒａｍｅ＃４において割り当てられている。
【０２８９】
すなわち、Ｐｅｒｓｉｓｔｅｎｔ  Ｓｕｂ-ｆｒａｍｅ＃４は、当該移動局ＵＥの観点からは、Ｐｅｒｓｉｓｔｅｎｔスケジューリングが適用される下りリンクのデータ信号（ＤＬ-ＳＣＨ）に対する送達確認情報の送信タイミングであり、当該無線基地局の観点からは、当該移動局ＵＥから送信される、Ｐｅｒｓｉｓｔｅｎｔスケジューリングが適用される下りリンクのデータ信号（ＤＬ-ＳＣＨ）に対する送達確認情報の受信タイミングである。
【０２９０】
そして、上述した「Ｃａｎｄｉｄａｔｅ＿Ｓｕｂ-ｆｒａｍｅ」の選択は、前記Ｐｅｒｓｉｓｔｅｎｔスケジューリングが適用される下りリンクのデータ信号（ＤＬ-ＳＣＨ）に対する送達確認情報の受信タイミングに基づいて行われる。
【０２９１】
例えば、図１２に示す例においては、当該移動局ＵＥのＤＲＸ受信タイミングは、＃０〜＃５であり、Ｃａｎｄｉｄａｔｅ  Ｓｕｂ-ｆｒａｍｅとして選択可能なＰｅｒｓｉｓｔｅｎｔ  Ｓｕｂ-ｆｒａｍｅは、以下のようになる。
【０２９２】
●  Ｐｅｒｓｉｓｔｅｎｔ  Ｓｕｂ-ｆｒａｍｅ  ＃４
●  Ｐｅｒｓｉｓｔｅｎｔ  Ｓｕｂ-ｆｒａｍｅ  ＃５
●  Ｐｅｒｓｉｓｔｅｎｔ  Ｓｕｂ-ｆｒａｍｅ  ＃６
●  Ｐｅｒｓｉｓｔｅｎｔ  Ｓｕｂ-ｆｒａｍｅ  ＃７
●  Ｐｅｒｓｉｓｔｅｎｔ  Ｓｕｂ-ｆｒａｍｅ  ＃８
●  Ｐｅｒｓｉｓｔｅｎｔ  Ｓｕｂ-ｆｒａｍｅ  ＃９
前記６個の、Ｃａｎｄｉｄａｔｅ  Ｓｕｂ-ｆｒａｍｅとして選択可能なＰｅｒｓｉｓｔｅｎｔ  Ｓｕｂ-ｆｒａｍｅの内、Ｐｅｒｓｉｓｔｅｎｔ  Ｓｕｂ-ｆｒａｍｅ＃４は、前記Ｐｅｒｓｉｓｔｅｎｔスケジューリングが適用される下りリンクのデータ信号（ＤＬ-ＳＣＨ）に対する送達確認情報の受信タイミングに一致する。
【０２９３】
ここで、当該移動局ＵＥの「Ｃａｎｄｉｄａｔｅ＿Ｓｕｂ-ｆｒａｍｅ」は、
例えば、前記Ｐｅｒｓｉｓｔｅｎｔスケジューリングが適用される下りリンクのデータ信号（ＤＬ-ＳＣＨ）に対する送達確認情報の受信タイミングと一致しないように割り当てられてもよい。
【０２９４】
図１２の例では、Ｐｅｒｓｉｓｔｅｎｔ  Ｓｕｂ-ｆｒａｍｅ＃４以外のＰｅｒｓｉｓｔｅｎｔ  Ｓｕｂ-ｆｒａｍｅが、Ｃａｎｄｉｄａｔｅ  Ｓｕｂ-ｆｒａｍｅとして割り当てられてもよい。
【０２９５】
或いは、例えば、「当該移動局ＵＥのＤＲＸ受信タイミングであり、かつ、Ｐｅｒｓｉｓｔｅｎｔスケジューリングが適用される下りリンクのデータ信号（ＤＬ-ＳＣＨ）に対する送達確認情報の受信タイミングと一致せず、かつ、リソース使用量ＤＬ_Ｒｅｓｏｕｒｃｅ（ｍ）の値が最も小さいＰｅｒｓｉｓｔｅｎｔ  Ｓｕｂ-ｆｒａｍｅ」を、当該移動局ＵＥの「Ｃａｎｄｉｄａｔｅ＿Ｓｕｂ-ｆｒａｍｅ」として選択してもよい。
【０２９６】
以下に、前記Ｐｅｒｓｉｓｔｅｎｔスケジューリングが適用される下りリンクのデータ信号（ＤＬ-ＳＣＨ）に対する送達確認情報の受信タイミングと一致しないように、Ｃａｎｄｉｄａｔｅ＿Ｓｕｂ-ｆｒａｍｅを選択する効果を示す。
【０２９７】
Ｃａｎｄｉｄａｔｅ＿Ｓｕｂ-ｆｒａｍｅ、すなわち、Ｐｅｒｓｉｓｔｅｎｔスケジューリングが適用されるデータ信号（ＵＬ-ＳＣＨ）の受信タイミングが、前記Ｐｅｒｓｉｓｔｅｎｔスケジューリングが適用される下りリンクのデータ信号（ＤＬ-ＳＣＨ）に対する送達確認情報の受信タイミングと一致する場合、前記データ信号（ＵＬ-ＳＣＨ）は、前記送達確認情報と多重されて送信されるため、伝送特性が劣化する可能性がある。
【０２９８】
より詳しく説明すると、前記データ信号（ＵＬ-ＳＣＨ）と前記送達確認情報とが多重される場合、伝送される情報量が増加し、結果として、所要の信号電力が増大する。
【０２９９】
この場合、セル端などの無線品質の悪い領域では、前記Ｐｅｒｓｉｓｔｅｎｔ  Ｓｕｂ-ｆｒａｍｅ＃４を、Ｃａｎｄｉｄａｔｅ＿Ｓｕｂ-ｆｒａｍｅとして選択した場合に、該データ信号又は該Ｐｅｒｓｉｓｔｅｎｔスケジューリングが適用されるデータ信号（ＤＬ-ＳＣＨ）に対する送達確認情報が、正常に伝送される可能性が低くなる。
【０３００】
言い換えれば、Ｃａｎｄｉｄａｔｅ＿Ｓｕｂ-ｆｒａｍｅ、すなわち、Ｐｅｒｓｉｓｔｅｎｔスケジューリングが適用されるデータ信号（ＵＬ-ＳＣＨ）の受信タイミングが、前記Ｐｅｒｓｉｓｔｅｎｔスケジューリングが適用される下りリンクのデータ信号（ＤＬ-ＳＣＨ）に対する送達確認情報の受信タイミングと一致しないように、Ｃａｎｄｉｄａｔｅ＿Ｓｕｂ-ｆｒａｍｅを選択することにより、上述した伝送特性の劣化を低減することが可能となる。
【０３０１】
ステップＳ６１３の処理の後、ステップＳ６１４の処理に進む。
【０３０２】
ステップＳ６１４の「Ｐｅｒｓｉｓｔｅｎｔ  ＲＢ  Ｓｅｌｅｃｔｉｏｎ」の処理により、当該移動局ＵＥに対して、「Ｐｅｒｓｉｓｔｅｎｔスケジューリング」が適用される「ＵＬ-ＳＣＨ」の初回送信のための「Ｒｅｓｏｕｒｃｅ ｂｌｏｃｋ（以下、ＵＬ_１ｓｔ_ＴＸ_Ｐｅｒｓｉｓｔｅｎｔ_ＲＢと呼ぶ）を決定する。  
以下に示すように、ステップＳ６０８、ステップＳ６１０、ステップＳ６１１の判定結果に基づいて、「Ｐｅｒｓｉｓｔｅｎｔスケジューリング」が適用される「ＵＬ-ＳＣＨ」の初回送信のための「Ｒｅｓｏｕｒｃｅ  ｂｌｏｃｋ」の割り当て処理が行われる。
【０３０３】
以下、ステップＳ６０８の判定結果が「ＯＫ」であった場合の動作について説明する。
【０３０４】
当該移動局ＵＥの「ＵＬ_１ｓｔ_ＴＸ_Ｐｅｒｓｉｓｔｅｎｔ_Ｓｕｂｆｒａｍｅ」に関して、「Ｔｅｍｐｏｒａｒｙ_ＵＬ_１ｓｔ_ＴＸ_ＴＦ」を送信した場合で、「「Ｒｅｓｏｕｒｃｅ  Ｂｌｏｃｋ（ＶＲＢ）  ｉｎｄｅｘ」が最も小さく、かつ、割り当て可能なリソースブロック（ＲＢ）」を「Ｃａｎｄｉｄａｔｅ_ＲＢ」として選択する。
【０３０５】
なお、「Ｒｅｓｏｕｒｃｅ  Ｂｌｏｃｋ  ｉｎｄｅｘ」とは、リソースブロックのインデックスである。
【０３０６】
すなわち、当該移動局ＵＥの「ＵＬ_１ｓｔ_ＴＸ_Ｐｅｒｓｉｓｔｅｎｔ_Ｓｕｂｆｒａｍｅ」において、当該移動局ＵＥに対して「Ｕｐｌｉｎｋ  Ｓｃｈｅｄｕｌｉｎｇ  Ｇｒａｎｔ」により「Ｐｅｒｓｉｓｔｅｎｔスケジューリング」のための初回送信のリソースを通知すると決定する。すなわち、移動局ＵＥに対して、固定的割当信号を送信する。
【０３０７】
なお、かかるＵｐｌｉｎｋ  Ｓｃｈｅｄｕｌｉｎｇ  ＧｒａｎｔによりＰｅｒｓｉｓｔｅｎｔスケジューリングのための初回送信のリソースを通知すると決定した場合に、ＴＴＩ  ｂｕｎｄｌｉｎｇの適用の有無が変更される場合には、無線基地局ｅＮＢは、ＲＲＣ ｍｅｓｓａｇｅを介して、移動局ＵＥにＴＴＩ  ｂｕｎｄｌｉｎｇの適用の有無の変更を通知する。この場合に、無線基地局ｅＮＢは、Ｉｎｔｒａ-ｅｌｌ  Ｈａｎｄｏｖｅｒを行ってもよい。
【０３０８】
ただし、最終的に、当該移動局ＵＥの「ＵＬ_１ｓｔ_ＴＸ_Ｐｅｒｓｉｓｔｅｎｔ_Ｓｕｂｆｒａｍｅ」において、当該移動局ＵＥに対して「Ｕｐｌｉｎｋ  Ｓｃｈｅｄｕｌｉｎｇ  Ｇｒａｎｔ」を送信しなかった場合には、当該移動局ＵＥに対して割り当てた「Ｐｅｒｓｉｓｔｅｎｔスケジューリング」により割り当てられるリソースブロックを解放する。
【０３０９】
一方、ステップＳ６１０の判定結果が「ＯＫ」であった場合の動作について説明する。
【０３１０】
当該移動局ＵＥの「ＵＬ_１ｓｔ_ＴＸ_Ｐｅｒｓｉｓｔｅｎｔ_Ｓｕｂｆｒａｍｅ」に関して、「Ｔｅｍｐｏｒａｒｙ_ＵＬ_１ｓｔ_ＴＸ_ＴＦ」を送信した場合で、「「Ｒｅｓｏｕｒｃｅ  Ｂｌｏｃｋ（ＶＲＢ）  ｉｎｄｅｘ」が最も小さく、かつ、割り当て可能なＲＢ」を「Ｃａｎｄｉｄａｔｅ_ＲＢ」として選択する。
【０３１１】
そして、「Ｃａｎｄｉｄａｔｅ_ＲＢ」を、「Ｐｅｒｓｉｓｔｅｎｔスケジューリング」により割り当てられるリソースブロックとする。
【０３１２】
すなわち、当該移動局ＵＥの「ＵＬ_１ｓｔ_ＴＸ_Ｐｅｒｓｉｓｔｅｎｔ_Ｓｕｂｆｒａｍｅ」において、当該移動局ＵＥに対して「Ｕｐｌｉｎｋ  Ｓｃｈｅｄｕｌｉｎｇ  Ｇｒａｎｔ」により「Ｐｅｒｓｉｓｔｅｎｔスケジューリング」のための初回送信のリソースを通知すると決定する。すなわち、移動局ＵＥに対して、固定的割当信号を送信する。
【０３１３】
なお、かかるＵｐｌｉｎｋ  Ｓｃｈｅｄｕｌｉｎｇ  ＧｒａｎｔによりＰｅｒｓｉｓｔｅｎｔスケジューリングのための初回送信のリソースを通知すると決定した場合に、ＴＴＩ  ｂｕｎｄｌｉｎｇの適用の有無が変更される場合には、無線基地局ｅＮＢは、ＲＲＣ ｍｅｓｓａｇｅを介して、移動局ＵＥにＴＴＩ  ｂｕｎｄｌｉｎｇの適用の有無の変更を通知する。この場合に、無線基地局ｅＮＢは、Ｉｎｔｒａ-ｃｅｌｌ  Ｈａｎｄｏｖｅｒを行ってもよい。
【０３１４】
ただし、最終的に、当該移動局ＵＥの「ＵＬ_１ｓｔ_ＴＸ_Ｐｅｒｓｉｓｔｅｎｔ_Ｓｕｂｆｒａｍｅ」において、当該移動局ＵＥに対して「Ｕｐｌｉｎｋ  Ｓｃｈｅｄｕｌｉｎｇ  Ｇｒａｎｔ」を送信しなかった場合には、当該移動局ＵＥに対して割り当てた「Ｐｅｒｓｉｓｔｅｎｔスケジューリング」により割り当てられるリソースブロックを解放する。
【０３１５】
この場合、当該移動局ＵＥに関する、Ｐｅｒｓｉｓｔｅｎｔスケジューリングが適用されるＵＬ-ＳＣＨの初回送信のための無線リソースを、上述したステップＳ６１３、Ｓ６１４の処理を行う前の状態に戻す。
【０３１６】
ここで、「最終的に、当該移動局ＵＥの「ＵＬ_１ｓｔ_ＴＸ_Ｐｅｒｓｉｓｔｅｎｔ_Ｓｕｂｆｒａｍｅ」において、当該移動局ＵＥに対して「Ｕｐｌｉｎｋ  Ｓｃｈｅｄｕｌｉｎｇ  Ｇｒａｎｔ」を送信しなかった場合」とは、例えば、「ＰＤＣＣＨ」の無線リソースが枯渇したため、当該「Ｕｐｌｉｎｋ  Ｓｃｈｅｄｕｌｉｎｇ  Ｇｒａｎｔ」が送信されなかった場合である。
【０３１７】
また、ステップＳ６１１の判定結果が「ＯＫ」であった場合の動作について説明する。
【０３１８】
当該移動局ＵＥの「ＵＬ_１ｓｔ_ＴＸ_Ｐｅｒｓｉｓｔｅｎｔ_Ｓｕｂｆｒａｍｅ」に関して、「「ＵＬ_１ｓｔ_ＴＸ_ＴＦ」を送信した場合で「Ｒｅｓｏｕｒｃｅ  Ｂｌｏｃｋ（ＶＲＢ）  ｉｎｄｅｘ」が最も小さく、かつ、割り当て可能なＲＢ」を「Ｃａｎｄｉｄａｔｅ_ＲＢ」として選択する。
【０３１９】
そして、「Ｃａｎｄｉｄａｔｅ_ＲＢ」を、「Ｐｅｒｓｉｓｔｅｎｔスケジューリング」により割り当てられるリソースブロックとする。
【０３２０】
ただし、前記「「ＵＬ_１ｓｔ_ＴＸ_ＴＦ」を送信した場合で「Ｒｅｓｏｕｒｃｅ  Ｂｌｏｃｋ（ＶＲＢ）  ｉｎｄｅｘ」が最も小さく、かつ、割り当て可能なＲＢ」が、現在割り当てられている上り無線リソースと同一である場合には、上述した処理を行わない、すなわち、上り無線リソースを変更する処理を行わない。
【０３２１】
そして、当該移動局ＵＥの「ＵＬ_１ｓｔ_ＴＸ_Ｐｅｒｓｉｓｔｅｎｔ_Ｓｕｂｆｒａｍｅ」において、当該移動局ＵＥに対して「Ｕｐｌｉｎｋ  Ｓｃｈｅｄｕｌｉｎｇ  Ｇｒａｎｔ」により「Ｐｅｒｓｉｓｔｅｎｔスケジューリング」のための初回送信のリソースを通知すると決定する。
【０３２２】
ただし、最終的に、当該移動局ＵＥの「ＵＬ_１ｓｔ_ＴＸ_Ｐｅｒｓｉｓｔｅｎｔ_Ｓｕｂｆｒａｍｅ」において、当該移動局ＵＥに対して「Ｕｐｌｉｎｋ  Ｓｃｈｅｄｕｌｉｎｇ  Ｇｒａｎｔ」を送信しなかった場合には、当該移動局ＵＥに対して割り当てた「Ｐｅｒｓｉｓｔｅｎｔスケジューリング」により割り当てられるリソースブロックを解放する。
【０３２３】
この場合、当該移動局ＵＥに関する、Ｐｅｒｓｉｓｔｅｎｔスケジューリングが適用されるＵＬ-ＳＣＨの初回送信のための無線リソースを、上述したステップＳ６１３、Ｓ６１４の処理を行う前の状態に戻す。
【０３２４】
ここで、「最終的に、当該移動局ＵＥの「ＵＬ_１ｓｔ_ＴＸ_Ｐｅｒｓｉｓｔｅｎｔ_Ｓｕｂｆｒａｍｅ」において、当該移動局ＵＥに対して「Ｕｐｌｉｎｋ  Ｓｃｈｅｄｕｌｉｎｇ  Ｇｒａｎｔ」を送信しなかった場合」とは、例えば、「ＰＤＣＣＨ」の無線リソースが枯渇したため、当該「Ｕｐｌｉｎｋ  Ｓｃｈｅｄｕｌｉｎｇ  Ｇｒａｎｔ」が送信されなかった場合である。
【０３２５】
ステップＳ６１４の処理により、「Ｐｅｒｓｉｓｔｅｎｔスケジューリング」が適用される上り無線リソースの周波数リソース（リソースブロック）が決定される。
【０３２６】
ここで、「Ｐｅｒｓｉｓｔｅｎｔスケジューリング」が適用される上り無線リソースに対して、「Ｒｅｓｏｕｒｃｅ  Ｂｌｏｃｋ（ＶＲＢ）  ｉｎｄｅｘ」が最も小さく、かつ、割り当て可能なＲＢを割り当て、一方で、「ＰＲＡＣＨ」等の共通チャネルに対して、「Ｒｅｓｏｕｒｃｅ  Ｂｌｏｃｋ（ＶＲＢ）  ｉｎｄｅｘ」が最も大きく、かつ、割り当て可能なＲＢを割り当ててもよい。
【０３２７】
この場合、「Ｐｅｒｓｉｓｔｅｎｔスケジューリング」が適用される上り無線リソースと、「ＰＲＡＣＨ」等の共通チャネルの無線リソースとの衝突を避けることが可能となり、効率良い無線リソースの割り当てが可能となる。
【０３２８】
以下に、送達確認情報送信処理部１５によって行われる送達確認情報送信処理について説明する。
【０３２９】
送達確認情報送信処理部１５は、「Ｐｅｒｓｉｓｔｅｎｔスケジューリング」が適用される上り無線リソース（ＰＵＳＣＨ）に対する送達確認情報を送信する。
【０３３０】
以下に、状態不一致検出処理部１６によって行われている状態不一致検出処理について説明する。
【０３３１】
状態不一致検出処理部１６は、無線基地局ｅＮＢと移動局ＵＥとの間の状態の不一致を検出する。
【０３３２】
ここで、「状態の不一致」とは、例えば、無線基地局ｅＮＢが、移動局ＵＥに対して、「Ｐｅｒｓｉｓｔｅｎｔスケジューリング」による上り無線リソースの割り当てを行ったにも係らず、移動局ＵＥは、かかる上り無線リソースの割り当てが行われたと認識していない状態のことを指す。
【０３３３】
例えば、無線基地局ｅＮＢは、以下の事象が発生した場合に、当該移動局ＵＥの「ＵＬ_１ｓｔ_ＴＸ_ＴＦ」を「ＮＵＬＬ」とする。
【０３３４】
・「Ｐｅｒｓｉｓｔｅｎｔスケジューリング」が適用される「ＵＬ-ＳＣＨ」において、最大再送回数満了による上りデータの破棄が、連続してＮＵＬ，ＭＡＸＴＸ回発生した場合
なお、「ＵＬ_１ｓｔ_ＴＸ_ＴＦ」を「ＮＵＬＬ」とした場合、上述したステップＳ６０８の処理で「ＯＫ」と判定されるため、「Ｐｅｒｓｉｓｔｅｎｔスケジューリング」により割り当てられる上り無線リソースが割り当てられ直すことになり、上述した無線基地局ｅＮＢと移動局ＵＥとの間の状態の不一致を解消することが可能となる。
【０３３５】
本実施形態に係る移動通信システムによれば、統計多重効果を最大化するように、「Ｐｅｒｓｉｓｔｅｎｔスケジューリング」により割り当てられる上り無線リソースを設定することにより、高効率の移動通信システムを実現することができる無線基地局及び通信制御方法を提供することができる。
【０３３６】
また、本実施形態に係る移動通信システムによれば、「Ｐｅｒｓｉｓｔｅｎｔスケジューリング」により割り当てられる上り無線リソースを適切に設定することにより、高効率の移動通信システムを実現することができる無線基地局及び通信制御方法を提供することができる。
【０３３７】
（変更例）
なお、上述の移動局や無線基地局の動作は、ハードウェアによって実施されてもよいし、プロセッサによって実行されるソフトウェアモジュールによって実施されてもよいし、両者の組み合わせによって実施されてもよい。
【０３３８】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０３３９】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局や無線基地局内に設けられていてもよい。また、かかる記憶媒体及びプロセッサは、ディスクリートコンポーネントとして移動局や無線基地局内に設けられていてもよい。
【０３４０】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図１】
2009133954.tif 000004
【図２】
2009133954.tif 000005
【図３】
2009133954.tif 000006
【図４】
2009133954.tif 000007
【図５】
2009133954.tif 000008
【図６】
2009133954.tif 000009
【図７】
2009133954.tif 000010
【図８】
2009133954.tif 000011
【図８Ａ】
2009133954.tif 000012
【図９】
2009133954.tif 000013
【図１０】
2009133954.tif 000014
【図１１】
2009133954.tif 000015
【図１２】
2009133954.tif 000016
【国際調査報告】
2009133954.tif 000017
2009133954.tif 000018
2009133954.tif 000019
2009133954.tif 000020